(57)【要約】  本開示は、物理層リソースマッピング方法、装置、ユーザ装置及び基地局に関する。前記方法は、ＨＡＲＱ−ＡＣＫ情報とアップリンクデータを多重化伝送する時に、物理層リソースにマッピングされるＨＡＲＱ−ＡＣＫ変調シンボルの開始位置及び周波数領域オフセット値を確定し、前記周波数領域オフセット値が、異なるＨＡＲＱ−ＡＣＫ変調シンボルのマッピング先のリソース要素の周波数領域オフセットであることと、前記開始位置及び前記周波数領域オフセット値に基づき、各ＨＡＲＱ−ＡＣＫ変調シンボルを対応するリソース要素にマッピングすることとを含む。本開示の技術的解決手段により、周波数領域において、各ＨＡＲＱ−ＡＣＫ変調シンボルをできるだけ多くの直交周波数分割多重シンボルに均一に分布することを実現し、１つ又はいくつかの直交周波数分割多重シンボルへのＨＡＲＱ−ＡＣＫ変調シンボルの集中分布に起因するアップリンクデータ伝送性能の低下の問題を回避することができる。【選択図】図１Ａ
2021503236.tif 000002
【特許請求の範囲】
【請求項１】
物理層リソースマッピング方法であって、ユーザ装置に適用され、前記方法は、
混合自動再送リクエスト応答（ＨＡＲＱ−ＡＣＫ）情報とアップリンクデータを多重化伝送する時に、物理層リソースにマッピングされるＨＡＲＱ−ＡＣＫ変調シンボルの開始位置及び周波数領域オフセット値を確定し、前記周波数領域オフセット値が、異なるＨＡＲＱ−ＡＣＫ変調シンボルのマッピング先のリソース要素の周波数領域オフセットであることと、
前記開始位置及び前記周波数領域オフセット値に基づき、各ＨＡＲＱ−ＡＣＫ変調シンボルを対応するリソース要素にマッピングすることとを含む、前記物理層リソースマッピング方法。
【請求項２】
物理層リソースにマッピングされるＨＡＲＱ−ＡＣＫ変調シンボルの開始位置を確定することは、
アップリンクデータの復調基準信号に隣接する直交周波数分割多重シンボルの最低周波数領域位置を前記開始位置として確定すること、又は、
アップリンクデータの復調基準信号以外の１番目の直交周波数分割多重シンボルの最低周波数領域位置を前記開始位置として確定することを含むことを特徴とする
請求項１に記載の方法。
【請求項３】
物理層リソースにマッピングされるＨＡＲＱ−ＡＣＫ変調シンボルの周波数領域オフセット値を確定することは、
ＨＡＲＱ−ＡＣＫ変調シンボルのマッピング可能な直交周波数分割多重シンボルの数Ｎ、ＨＡＲＱ−ＡＣＫ変調シンボルに占有されるリソース要素の数Ｋ、及び各直交周波数分割多重シンボルに含まれるリソース要素の数Ｍに基づき、前記周波数領域オフセット値を確定することを含むことを特徴とする
請求項１に記載の方法。
【請求項４】
前記開始位置及び前記周波数領域オフセット値に基づき、各ＨＡＲＱ−ＡＣＫ変調シンボルを対応するリソース要素にマッピングすることは、
１番目のＨＡＲＱ−ＡＣＫ変調シンボルを前記開始位置の所在するリソース要素にマッピングすることと、
残りのＨＡＲＱ−ＡＣＫ変調シンボルを、周波数領域優先の方式で、前記周波数領域オフセット値に従って、異なるリソース要素に一つずつマッピングし、周波数領域オフセットが一つの直交周波数分割多重シンボルの周波数領域範囲を超えた場合、次の直交周波数分割多重シンボルのリソース要素に順番でマッピングすることとを含むことを特徴とする
請求項３に記載の方法。
【請求項５】
前記開始位置及び前記周波数領域オフセット値に基づき、各ＨＡＲＱ−ＡＣＫ変調シンボルを対応するリソース要素にマッピングすることは、
ＨＡＲＱ−ＡＣＫ変調シンボルをＰ個のシンボルグループに分割し、各シンボルグループに最大Ｎ個のＨＡＲＱ−ＡＣＫ変調シンボルが含まれることと、
第一のグループのＨＡＲＱ−ＡＣＫ変調シンボルを、前記開始位置の所在する周波数領域位置の異なるリソース要素に、一つずつマッピングすることと、
前記開始位置の所在する周波数領域位置及び周波数領域オフセット値に基づき、残りのグループのＨＡＲＱ−ＡＣＫ変調シンボルのうちの各グループのＨＡＲＱ−ＡＣＫ変調シンボルのマッピングする周波数領域位置を確定することと、
前記残りのグループのＨＡＲＱ−ＡＣＫ変調シンボルを、時間領域優先の方式で、対応するグループの周波数領域位置の異なるリソース要素にマッピングすることとを含むことを特徴とする
請求項３に記載の方法。
【請求項６】
物理層リソースにマッピングされるＨＡＲＱ−ＡＣＫ変調シンボルの周波数領域オフセット値を確定することは、
ＨＡＲＱ−ＡＣＫ変調シンボルに占有されるリソース要素の数Ｋ及び各直交周波数分割多重シンボルに含まれるリソース要素の数Ｍに基づき、前記周波数領域オフセット値を確定することを含むことを特徴とする
請求項１に記載の方法。
【請求項７】
前記開始位置及び前記周波数領域オフセット値に基づき、各ＨＡＲＱ−ＡＣＫ変調シンボルを対応するリソース要素にマッピングすることは、
前記開始位置の所在する周波数領域位置から、Ｑ個のＨＡＲＱ−ＡＣＫ変調シンボルを、時間領域優先の方式で周波数領域位置が同じである異なるリソース要素にマッピングしてから、前記周波数領域オフセット値に従ってオフセットした後に、次のＱ個のＨＡＲＱ−ＡＣＫ変調シンボルを異なるリソース要素にマッピングし続け、前記Ｑが前記Ｋ及び前記Ｍに基づいて計算されることを含むことを特徴とする
請求項６に記載の方法。
【請求項８】
物理層リソースにマッピングされるＨＡＲＱ−ＡＣＫ変調シンボルの周波数領域オフセット値を確定することは、
ＫがＭ以下である場合、第一のアルゴリズムを用いて、先頭のＲ個のＨＡＲＱ−ＡＣＫ変調シンボルに対応する第一の周波数領域オフセット値を確定し、第二のアルゴリズムを用いて、先頭のＲ個のＨＡＲＱ−ＡＣＫ変調シンボル以外のＨＡＲＱ−ＡＣＫ変調シンボルに対応する第二の周波数領域オフセット値を確定し、前記Ｒの値が第三のアルゴリズムに基づいて計算され、前記ＫがＨＡＲＱ−ＡＣＫ変調シンボルに占有されるリソース要素の数Ｋであり、Ｍが各直交周波数分割多重シンボルに含まれるリソース要素の数であることと、
ＫがＭより大きい場合、第四のアルゴリズムを用いて、ＨＡＲＱ−ＡＣＫ変調シンボルの先頭のＳ回のオフセットの中でＨＡＲＱ−ＡＣＫ変調シンボルがマッピングされる、各周波数領域位置におけるリソース要素に対応する第一のカウント数を確定し、第五のアルゴリズムを用いて、先頭のＳ回のオフセット以外のＨＡＲＱ−ＡＣＫ変調シンボルのオフセットの中でＨＡＲＱ−ＡＣＫ変調シンボルがマッピングされる、各周波数領域位置におけるリソース要素に対応する第二のカウント数を確定し、前記Ｓの値が第六のアルゴリズムに基づいて計算され、ここで、先頭のＳ回のオフセットに対応する周波数領域オフセット値が第一の設定値であり、先頭のＳ回のオフセット以外の周波数領域オフセットの周波数領域オフセット値が第二の設定値であることとを含むことを特徴とする
請求項１に記載の方法。
【請求項９】
前記開始位置及び前記周波数領域オフセット値に基づき、各ＨＡＲＱ−ＡＣＫ変調シンボルを対応するリソース要素にマッピングすることは、
ＫがＭ以下である場合、時間領域優先の方式で前記開始位置から、前記第一の周波数領域オフセット値に従って、先頭のＲ個のＨＡＲＱ−ＡＣＫ変調シンボルを異なる周波数領域位置の異なるリソース要素に一つずつマッピングすることと、
前記Ｒ番目のＨＡＲＱ−ＡＣＫ変調シンボルの所在する周波数領域位置及び前記第二の周波数領域オフセット値に基づき、Ｒ＋１番目のＨＡＲＱ−ＡＣＫ変調シンボルのマッピング先のリソース要素を確定することと、
時間領域優先の方式で、前記Ｒ＋１番目のＨＡＲＱ−ＡＣＫ変調シンボルのマッピング先のリソース要素の位置から、前記第二の周波数領域オフセット値に従って、先頭のＲ個のＨＡＲＱ−ＡＣＫ変調シンボル以外のＨＡＲＱ−ＡＣＫ変調シンボルを異なる周波数領域位置の異なるリソース要素に一つずつマッピングすることとを含むことを特徴とする
請求項８に記載の方法。
【請求項１０】
前記開始位置及び前記周波数領域オフセット値に基づき、各ＨＡＲＱ−ＡＣＫ変調シンボルを対応するリソース要素にマッピングすることは、
ＫがＭよりも大きい場合、先頭のＳ回の周波数領域オフセットにおいて、時間領域優先の方式で、開始位置の所在する周波数領域位置から、第一の設定値に従って周波数領域オフセットを行い、各周波数領域位置に第一のカウント数のＨＡＲＱ−ＡＣＫ変調シンボルを連続してマッピングすることと、
開始位置の所在する周波数領域位置、第一の設定値、第二の設定値に基づき、Ｓ＋１回目のオフセットに対応する開始位置を確定することと、
先頭のＳ回のオフセットを実行した後に、時間領域優先の方式で、Ｓ＋１回目のオフセットに対応する開始位置の所在する周波数領域位置から、第一の設定値に従って周波数領域オフセットを行い、各周波数領域位置に第二のカウント数のＨＡＲＱ−ＡＣＫ変調シンボルを連続してマッピングすることとを含むことを特徴とする
請求項８に記載の方法。
【請求項１１】
前記方法はさらに、
チャネル状態情報（ＣＳＩ）、ＨＡＲＱ−ＡＣＫ情報及びアップリンクデータを多重化伝送する時に、ＣＳＩ変調シンボルのマッピング先のリソース要素を優先的に確定することと、
前記ＣＳＩ変調シンボルのマッピング先のリソース要素以外のリソース要素を前記ＨＡＲＱ−ＡＣＫ変調シンボルのマッピング可能なリソース要素として確定し、又は前記ＣＳＩ変調シンボルのマッピング先のリソース要素の所在する直交周波数分割多重シンボル以外のリソース要素を、前記ＨＡＲＱ−ＡＣＫ変調シンボルのマッピング可能なリソース要素として確定することとを含み、
前記開始位置及び前記周波数領域オフセット値に基づき、各ＨＡＲＱ−ＡＣＫ変調シンボルを対応するリソース要素にマッピングすることは、
前記開始位置及び前記周波数領域オフセット値に基づき、前記ＨＡＲＱ−ＡＣＫ変調シンボルを前記マッピング可能なリソース要素にマッピングすることを含むことを特徴とする
請求項１に記載の方法。
【請求項１２】
チャネル状態情報（ＣＳＩ）、ＨＡＲＱ−ＡＣＫ情報及びアップリンクデータを多重化伝送する時に、各ＨＡＲＱ−ＡＣＫ変調シンボルを対応するリソース要素にマッピングした後、さらに、
前記ＨＡＲＱ−ＡＣＫ変調シンボルのマッピング先のリソース要素以外のリソース要素を前記ＣＳＩ変調シンボルのマッピング可能なリソース要素として確定することと、
前記ＣＳＩ変調シンボルを予め設定されたマッピングルールに従って、前記ＣＳＩ変調シンボルのマッピング可能なリソース要素にマッピングすることとを含むことを特徴とする
請求項１に記載の方法。
【請求項１３】
物理層リソースマッピング方法であって、基地局に適用され、前記方法は、
ユーザ装置から送信された、ＨＡＲＱ−ＡＣＫ変調シンボル及びデータ変調シンボルを含む符号化データを受信することと、
物理層リソースにマッピングされた前記ＨＡＲＱ−ＡＣＫ変調シンボルの開始位置及び周波数領域オフセット値に基づき、前記ＨＡＲＱ−ＡＣＫ変調シンボルを含むリソース要素及びデータ変調シンボルを含むリソース要素を確定し、前記周波数領域オフセット値が、異なるＨＡＲＱ−ＡＣＫ変調シンボルのマッピング先のリソース要素の周波数領域オフセットであることと、
前記ＨＡＲＱ−ＡＣＫ変調シンボルを含むリソース要素及びデータ変調シンボルを含むリソース要素に基づき、ＨＡＲＱ−ＡＣＫ情報とアップリンクデータを取得することとを含む、前記物理層リソースマッピング方法。
【請求項１４】
物理層リソースにマッピングされた前記ＨＡＲＱ−ＡＣＫ変調シンボルの開始位置は、アップリンクデータの復調基準信号に隣接する直交周波数分割多重シンボルの最低周波数領域位置であり、又は、アップリンクデータの復調基準信号以外の１番目の直交周波数分割多重シンボルの最低周波数領域位置であることを特徴とする
請求項１３に記載の方法。
【請求項１５】
物理層リソースにマッピングされた前記ＨＡＲＱ−ＡＣＫ変調シンボルの周波数領域オフセット値は、ＨＡＲＱ−ＡＣＫ変調シンボルに占有されるリソース要素の数Ｋ、及び各直交周波数分割多重シンボルに含まれるリソース要素の数Ｍに基づいて得られることを特徴とする
請求項１３に記載の方法。
【請求項１６】
物理層リソースにマッピングされた前記ＨＡＲＱ−ＡＣＫ変調シンボルの周波数領域オフセット値は、ＨＡＲＱ−ＡＣＫ変調シンボルのマッピング可能な直交周波数分割多重シンボルの数Ｎ、ＨＡＲＱ−ＡＣＫ変調シンボルに占有されるリソース要素の数Ｋ、及び各直交周波数分割多重シンボルに含まれるリソース要素の数Ｍに基づいて得られることを特徴とする
請求項１３に記載の方法。
【請求項１７】
物理層リソースマッピング装置であって、ユーザ装置に適用され、前記装置は、
ＨＡＲＱ−ＡＣＫ情報とアップリンクデータを多重化伝送する時に、物理層リソースにマッピングされるＨＡＲＱ−ＡＣＫ変調シンボルの開始位置及び周波数領域オフセット値を確定するように構成され、前記周波数領域オフセット値が、異なるＨＡＲＱ−ＡＣＫ変調シンボルのマッピング先のリソース要素の周波数領域オフセットである第一の確定モジュールと、
前記第一の確定モジュールによって確定された前記開始位置及び前記周波数領域オフセット値に基づき、各ＨＡＲＱ−ＡＣＫ変調シンボルを対応するリソース要素にマッピングするように構成される第一のマッピングモジュールとを備える、前記物理層リソースマッピング装置。
【請求項１８】
前記第一の確定モジュールは、
アップリンクデータの復調基準信号に隣接する直交周波数分割多重シンボルの最低周波数領域位置を前記開始位置として確定するように構成される第一の確定サブモジュール、又は、
アップリンクデータの復調基準信号以外の１番目の直交周波数分割多重シンボルの最低周波数領域位置を前記開始位置として確定するように構成される第二の確定サブモジュールを含むことを特徴とする
請求項１７に記載の装置。
【請求項１９】
前記第一の確定モジュールは、
ＨＡＲＱ−ＡＣＫ変調シンボルのマッピング可能な直交周波数分割多重シンボルの数Ｎ、ＨＡＲＱ−ＡＣＫ変調シンボルに占有されるリソース要素の数Ｋ、及び各直交周波数分割多重シンボルに含まれるリソース要素の数Ｍに基づき、前記周波数領域オフセット値を確定するように構成される第三の確定サブモジュールを含むことを特徴とする
請求項１７に記載の装置。
【請求項２０】
前記第一のマッピングモジュールは、
１番目のＨＡＲＱ−ＡＣＫ変調シンボルを前記開始位置の所在するリソース要素にマッピングするように構成される第一のマッピングサブモジュールと、
残りのＨＡＲＱ−ＡＣＫ変調シンボルを、周波数領域優先の方式で、前記周波数領域オフセット値に従って、異なるリソース要素に一つずつマッピングし、周波数領域オフセットが一つの直交周波数分割多重シンボルの周波数領域範囲を超えた場合、次の直交周波数分割多重シンボルのリソース要素に順番でマッピングするように構成される第二のマッピングサブモジュールとを含むことを特徴とする
請求項１９に記載の装置。
【請求項２１】
前記第一のマッピングモジュールは、
ＨＡＲＱ−ＡＣＫ変調シンボルをＰ個のシンボルグループに分割するように構成され、各シンボルグループに最大Ｎ個のＨＡＲＱ−ＡＣＫ変調シンボルが含まれる分割サブモジュールと、
第一のグループのＨＡＲＱ−ＡＣＫ変調シンボルを、前記開始位置の所在する周波数領域位置の異なるリソース要素に、一つずつマッピングするように構成される第三のマッピングサブモジュールと、
前記開始位置の所在する周波数領域位置及び周波数領域オフセット値に基づき、残りのグループのＨＡＲＱ−ＡＣＫ変調シンボルのうちの各グループのＨＡＲＱ−ＡＣＫ変調シンボルのマッピングする周波数領域位置を確定するように構成される第四の確定サブモジュールと、
前記残りのグループのＨＡＲＱ−ＡＣＫ変調シンボルを、時間領域優先の方式で、対応するグループの周波数領域位置の異なるリソース要素にマッピングするように構成される第四のマッピングサブモジュールとを含むことを特徴とする
請求項１９に記載の装置。
【請求項２２】
前記第一の確定モジュールは、
ＨＡＲＱ−ＡＣＫ変調シンボルに占有されるリソース要素の数Ｋ及び各直交周波数分割多重シンボルに含まれるリソース要素の数Ｍに基づき、前記周波数領域オフセット値を確定するように構成される第五の確定サブモジュールを含むことを特徴とする
請求項１７に記載の装置。
【請求項２３】
前記第一のマッピングモジュールは、
前記開始位置の所在する周波数領域位置から、Ｑ個のＨＡＲＱ−ＡＣＫ変調シンボルを、時間領域優先の方式で周波数領域位置が同じである異なるリソース要素にマッピングしてから、前記周波数領域オフセット値に従ってオフセットした後に、次のＱ個のＨＡＲＱ−ＡＣＫ変調シンボルを異なるリソース要素にマッピングし続けるように構成され、前記Ｑが前記Ｋ及び前記Ｍに基づいて計算される第五のマッピングサブモジュールを含むことを特徴とする
請求項２２に記載の装置。
【請求項２４】
前記第一の確定モジュールは、
ＫがＭ以下である場合、第一のアルゴリズムを用いて、先頭のＲ個のＨＡＲＱ−ＡＣＫ変調シンボルに対応する第一の周波数領域オフセット値を確定し、第二のアルゴリズムを用いて、先頭のＲ個のＨＡＲＱ−ＡＣＫ変調シンボル以外のＨＡＲＱ−ＡＣＫ変調シンボルに対応する第二の周波数領域オフセット値を確定するように構成され、前記Ｒの値が第三のアルゴリズムに基づいて計算され、前記ＫがＨＡＲＱ−ＡＣＫ変調シンボルに占有されるリソース要素の数Ｋであり、Ｍが各直交周波数分割多重シンボルに含まれるリソース要素の数である第六の確定サブモジュールと、
ＫがＭより大きい場合、第四のアルゴリズムを用いて、ＨＡＲＱ−ＡＣＫ変調シンボルの先頭のＳ回のオフセットの中でＨＡＲＱ−ＡＣＫ変調シンボルがマッピングされる、各周波数領域位置におけるリソース要素に対応する第一のカウント数を確定し、第五のアルゴリズムを用いて、先頭のＳ回のオフセット以外のＨＡＲＱ−ＡＣＫ変調シンボルのオフセットの中でＨＡＲＱ−ＡＣＫ変調シンボルがマッピングされる、各周波数領域位置におけるリソース要素に対応する第二のカウント数を確定するように構成され、前記Ｓの値が第六のアルゴリズムに基づいて計算され、ここで、先頭のＳ回のオフセットに対応する周波数領域オフセット値が第一の設定値であり、先頭のＳ回のオフセット以外の周波数領域オフセットの周波数領域オフセット値が第二の設定値である第七の確定サブモジュールとを含むことを特徴とする
請求項１７に記載の装置。
【請求項２５】
前記第一のマッピングモジュールは、
ＫがＭ以下である場合、時間領域優先の方式で前記開始位置から、前記第一の周波数領域オフセット値に従って、先頭のＲ個のＨＡＲＱ−ＡＣＫ変調シンボルを異なる周波数領域位置の異なるリソース要素に一つずつマッピングするように構成される第六のマッピングサブモジュールと、
前記Ｒ番目のＨＡＲＱ−ＡＣＫ変調シンボルの所在する周波数領域位置及び前記第二の周波数領域オフセット値に基づき、Ｒ＋１番目のＨＡＲＱ−ＡＣＫ変調シンボルのマッピング先のリソース要素を確定するように構成される第八の確定サブモジュールと、
時間領域優先の方式で、前記Ｒ＋１番目のＨＡＲＱ−ＡＣＫ変調シンボルのマッピング先のリソース要素の位置から、前記第二の周波数領域オフセット値に従って、先頭のＲ個のＨＡＲＱ−ＡＣＫ変調シンボル以外のＨＡＲＱ−ＡＣＫ変調シンボルを異なる周波数領域位置の異なるリソース要素に一つずつマッピングするように構成される第七のマッピングサブモジュールとを含むことを特徴とする
請求項２４に記載の装置。
【請求項２６】
前記第一のマッピングモジュールは、
ＫがＭよりも大きい場合、先頭のＳ回の周波数領域オフセットにおいて、時間領域優先の方式で、開始位置の所在する周波数領域位置から、第一の設定値に従って周波数領域オフセットを行い、各周波数領域位置に第一のカウント数のＨＡＲＱ−ＡＣＫ変調シンボルを連続してマッピングするように構成される第八のマッピングサブモジュールと、
開始位置の所在する周波数領域位置、第一の設定値、第二の設定値に基づき、Ｓ＋１回目のオフセットに対応する開始位置を確定するように構成される第九の確定サブモジュールと、
先頭のＳ回のオフセットを実行した後に、時間領域優先の方式で、Ｓ＋１回目のオフセットに対応する開始位置の所在する周波数領域位置から、第一の設定値に従って周波数領域オフセットを行い、各周波数領域位置に第二のカウント数のＨＡＲＱ−ＡＣＫ変調シンボルを連続してマッピングするように構成される第九のマッピングサブモジュールとを含むことを特徴とする
請求項２４に記載の装置。
【請求項２７】
前記装置はさらに、
チャネル状態情報（ＣＳＩ）、ＨＡＲＱ−ＡＣＫ情報及びアップリンクデータを多重化伝送する時に、ＣＳＩ変調シンボルのマッピング先のリソース要素を優先的に確定するように構成される第二の確定モジュールと、
前記ＣＳＩ変調シンボルのマッピング先のリソース要素以外のリソース要素を前記ＨＡＲＱ−ＡＣＫ変調シンボルのマッピング可能なリソース要素として確定し、又は前記ＣＳＩ変調シンボルのマッピング先のリソース要素の所在する直交周波数分割多重シンボル以外のリソース要素を、前記ＨＡＲＱ−ＡＣＫ変調シンボルのマッピング可能なリソース要素として確定するように構成される第三の確定モジュールとを備え、
前記第一のマッピングモジュールは、
前記開始位置及び前記周波数領域オフセット値に基づき、前記ＨＡＲＱ−ＡＣＫ変調シンボルを前記マッピング可能なリソース要素にマッピングするように構成される第十のマッピングサブモジュールを含むことを特徴とする
請求項１７に記載の装置。
【請求項２８】
前記装置はさらに、
前記ＨＡＲＱ−ＡＣＫ変調シンボルのマッピング先のリソース要素以外のリソース要素を前記ＣＳＩ変調シンボルのマッピング可能なリソース要素として確定するように構成される第四の確定モジュールと、
前記ＣＳＩ変調シンボルを予め設定されたマッピングルールに従って、前記ＣＳＩ変調シンボルのマッピング可能なリソース要素にマッピングするように構成される第二のマッピングモジュールとを備えることを特徴とする
請求項１７に記載の装置。
【請求項２９】
物理層リソースマッピング装置であって、基地局に適用され、前記装置は、
ユーザ装置から送信された、ＨＡＲＱ−ＡＣＫ変調シンボル及びデータ変調シンボルを含む符号化データを受信するように構成される受信モジュールと、
物理層リソースにマッピングされた前記ＨＡＲＱ−ＡＣＫ変調シンボルの開始位置及び周波数領域オフセット値に基づき、前記ＨＡＲＱ−ＡＣＫ変調シンボルを含むリソース要素及びデータ変調シンボルを含むリソース要素を確定するように構成され、前記周波数領域オフセット値が、異なるＨＡＲＱ−ＡＣＫ変調シンボルのマッピング先のリソース要素の周波数領域オフセットである第五の確定モジュールと、
前記ＨＡＲＱ−ＡＣＫ変調シンボルを含むリソース要素及びデータ変調シンボルを含むリソース要素に基づき、ＨＡＲＱ−ＡＣＫ情報とアップリンクデータを取得するように構成されるデータ取得モジュールとを備える、前記物理層リソースマッピング装置。
【請求項３０】
物理層リソースにマッピングされた前記ＨＡＲＱ−ＡＣＫ変調シンボルの開始位置は、アップリンクデータの復調基準信号に隣接する直交周波数分割多重シンボルの最低周波数領域位置であり、又は、アップリンクデータの復調基準信号以外の１番目の直交周波数分割多重シンボルの最低周波数領域位置であることを特徴とする
請求項２９に記載の装置。
【請求項３１】
物理層リソースにマッピングされた前記ＨＡＲＱ−ＡＣＫ変調シンボルの周波数領域オフセット値は、ＨＡＲＱ−ＡＣＫ変調シンボルに占有されるリソース要素の数Ｋ、及び各直交周波数分割多重シンボルに含まれるリソース要素の数Ｍに基づいて得られることを特徴とする
請求項２９に記載の装置。
【請求項３２】
物理層リソースにマッピングされた前記ＨＡＲＱ−ＡＣＫ変調シンボルの周波数領域オフセット値は、ＨＡＲＱ−ＡＣＫ変調シンボルのマッピング可能な直交周波数分割多重シンボルの数Ｎ、ＨＡＲＱ−ＡＣＫ変調シンボルに占有されるリソース要素の数Ｋ、及び各直交周波数分割多重シンボルに含まれるリソース要素の数Ｍに基づいて得られることを特徴とする
請求項２９に記載の装置。
【請求項３３】
ユーザー装置であって、
プロセッサと、
プロセッサでの実行可能な命令を記憶するように構成されるメモリとを備え、
ここで、前記プロセッサは、
ＨＡＲＱ−ＡＣＫ情報とアップリンクデータを多重化伝送する時に、物理層リソースにマッピングされるＨＡＲＱ−ＡＣＫ変調シンボルの開始位置及び周波数領域オフセット値を確定し、前記周波数領域オフセット値が、異なるＨＡＲＱ−ＡＣＫ変調シンボルのマッピング先のリソース要素の周波数領域オフセットであり、
前記開始位置及び前記周波数領域オフセット値に基づき、各ＨＡＲＱ−ＡＣＫ変調シンボルを対応するリソース要素にマッピングするように構成される、前記ユーザ装置。
【請求項３４】
基地局であって、
プロセッサと、
プロセッサでの実行可能な命令を記憶するように構成されるメモリとを備え、
ここで、前記プロセッサは、
ユーザ装置から送信された、ＨＡＲＱ−ＡＣＫ変調シンボル及びデータ変調シンボルを含む符号化データを受信し、
物理層リソースにマッピングされた前記ＨＡＲＱ−ＡＣＫ変調シンボルの開始位置及び周波数領域オフセット値に基づき、前記ＨＡＲＱ−ＡＣＫ変調シンボルを含むリソース要素及びデータ変調シンボルを含むリソース要素を確定し、前記周波数領域オフセット値が、異なるＨＡＲＱ−ＡＣＫ変調シンボルのマッピング先のリソース要素の周波数領域オフセットであり、
前記ＨＡＲＱ−ＡＣＫ変調シンボルを含むリソース要素及びデータ変調シンボルを含むリソース要素に基づき、ＨＡＲＱ−ＡＣＫ情報とアップリンクデータを取得するように構成される、前記基地局。
【請求項３５】
コンピュータ命令を記憶する非一時的コンピュータ可読記憶媒体であって、前記命令がプロセッサに実行される時に、
ＨＡＲＱ−ＡＣＫ情報とアップリンクデータを多重化伝送する時に、物理層リソースにマッピングされるＨＡＲＱ−ＡＣＫ変調シンボルの開始位置及び周波数領域オフセット値を確定し、前記周波数領域オフセット値が、異なるＨＡＲＱ−ＡＣＫ変調シンボルのマッピング先のリソース要素の周波数領域オフセットであることと、
前記開始位置及び前記周波数領域オフセット値に基づき、各ＨＡＲＱ−ＡＣＫ変調シンボルを対応するリソース要素にマッピングすることと、を実現する、
前記非一時的コンピュータ可読記憶媒体。
【請求項３６】
コンピュータ命令を記憶する非一時的コンピュータ可読記憶媒体であって、前記命令がプロセッサに実行される時に、
ユーザ装置から送信された、ＨＡＲＱ−ＡＣＫ変調シンボル及びデータ変調シンボルを含む符号化データを受信することと、
物理層リソースにマッピングされた前記ＨＡＲＱ−ＡＣＫ変調シンボルの開始位置及び周波数領域オフセット値に基づき、前記ＨＡＲＱ−ＡＣＫ変調シンボルを含むリソース要素及びデータ変調シンボルを含むリソース要素を確定し、前記周波数領域オフセット値が、異なるＨＡＲＱ−ＡＣＫ変調シンボルのマッピング先のリソース要素の周波数領域オフセットであることと、
前記ＨＡＲＱ−ＡＣＫ変調シンボルを含むリソース要素及びデータ変調シンボルを含むリソース要素に基づき、ＨＡＲＱ−ＡＣＫ情報とアップリンクデータを取得することと、を実行する、
前記非一時的コンピュータ可読記憶媒体。
【発明の詳細な説明】
【技術分野】
【０００１】
本開示は、通信技術分野に関し、特に物理層リソースマッピング方法、装置、ユーザ装置及び基地局に関する。
【背景技術】
【０００２】
長期進化型（Ｌｏｎｇ  Ｔｅｒｍ  Ｅｖｏｌｕｔｉｏｎ：ＬＴＥと略称）システムでは、ユーザ装置のアップリンクデータの伝送及びアップリンク制御情報の伝送が時間領域で重なっている場合、伝送待ちアップリンク制御情報を伝送待ちアップリンクデータの一部として、アップリンクデータ伝送のための時間領域及び周波数領域リソースを多重化してアップリンク制御情報の伝送を実現することができる。ＬＴＥでは、アップリンク混合自動再送リクエスト応答（Ｈｙｂｒｉｄ  Ａｕｔｏｍａｔｉｃ  Ｒｅｐｅａｔ  ｒｅｑｕｅｓｔ  Ａｃｋｎｏｗｌｅｄｇｅｍｅｎｔ：ＨＡＲＱ  ＡＣＫと略称）情報とアップリンクデータを多重化して伝送する場合、ＨＡＲＱ−ＡＣＫ変調シンボルは、２つの復調基準信号（Ｄｅｍｏｄｕｌａｔｉｏｎ  Ｒｅｆｅｒｅｎｃｅ：ＤＭＲＳと略称）の所在するシンボル（ｓｙｍｂｏｌ）に隣接する４つの直交周波数分割多重用（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭと略称）シンボルにマッピングされ、時間領域優先、周波数領域昇順の方式に従って、対応するリソース要素（Ｒｅｓｏｕｒｃｅ  Ｅｌｅｍｅｎｔ：ＲＥと略称）にマッピングされる。
【０００３】
第５世代移動通信技術（５ｔｈ  Ｇｅｎｅｒａｔｉｏｎ：５Ｇと略称）プロジェクトの研究及び議論では、アップリンクデータのＲＥマッピングが周波数領域優先の方式に従って行われ、しかもコードブロックグループ（ｃｏｄｅｂｌｏｃｋ  ｇｒｏｕｐ：「ＣＢＧ」と略称）の概念が導入されているため、次世代ネットワーク、例えば５Ｇネットワークにおいて、ＬＴＥにおけるＨＡＲＱ−ＡＣＫ変調シンボルとアップリンクデータを多重化するリソースマッピング方式を用いる場合、ＨＡＲＱ−ＡＣＫ変調シンボルにマッピングされたデータＲＥが、同一のコードブロック（ｃｏｄｅｂｌｏｃｋ：ＣＢと略称）のデータになる可能性があり、そのため、受信側は、該コードブロックにおけるデータを誤りコードと見なす可能性があり、これにより、アップリンクデータ伝送の性能が低下する。
【発明の概要】
【発明が解決しようとする課題】
【０００４】
関連技術の問題を克服するために、本開示の実施例は、ＨＡＲＱ−ＡＣＫ変調シンボルとアップリンクデータを多重化伝送する時に、周波数領域において、ＨＡＲＱ−ＡＣＫ変調シンボルをできるだけ多くの直交周波数分割多重シンボルに均一に分布し、１つ又はいくつかの直交周波数分割多重シンボルへのＨＡＲＱ−ＡＣＫ変調シンボルの集中分布に起因するアップリンクデータ伝送性能の低下の問題を回避するために、物理層リソースマッピング方法、装置、ユーザ装置及び基地局を提供する。
【課題を解決するための手段】
【０００５】
本開示の実施例の第一の態様によれば、物理層リソースマッピング方法が提供され、ユーザ装置に適用され、前記方法は、
ＨＡＲＱ−ＡＣＫ情報とアップリンクデータを多重化伝送する時に、物理層リソースにマッピングされるＨＡＲＱ−ＡＣＫ変調シンボルの開始位置及び周波数領域オフセット値を確定し、前記周波数領域オフセット値が、異なるＨＡＲＱ−ＡＣＫ変調シンボルのマッピング先のリソース要素の周波数領域オフセットであることと、
前記開始位置及び前記周波数領域オフセット値に基づき、各ＨＡＲＱ−ＡＣＫ変調シンボルを対応するリソース要素にマッピングすることとを含む。
【０００６】
一実施例では、物理層リソースにマッピングされるＨＡＲＱ−ＡＣＫ変調シンボルの開始位置を確定することは、
アップリンクデータの復調基準信号の直交周波数分割多重シンボルの最低周波数領域位置を前記開始位置として確定すること、又は、
アップリンクデータの復調基準信号以外の１番目の直交周波数分割多重シンボルの最低周波数領域位置を前記開始位置として確定することを含む。
【０００７】
一実施例では、物理層リソースにマッピングされるＨＡＲＱ−ＡＣＫ変調シンボルの周波数領域オフセット値を確定することは、
ＨＡＲＱ−ＡＣＫ変調シンボルのマッピング可能な直交周波数分割多重シンボルの数Ｎ、ＨＡＲＱ−ＡＣＫ変調シンボルに占有されるリソース要素の数Ｋ、及び各直交周波数分割多重シンボルに含まれるリソース要素の数Ｍに基づき、前記周波数領域オフセット値を確定することを含む。
【０００８】
一実施例では、前記開始位置及び前記周波数領域オフセット値に基づき、各ＨＡＲＱ−ＡＣＫ変調シンボルを対応するリソース要素にマッピングすることは、
１番目のＨＡＲＱ−ＡＣＫ変調シンボルを前記開始位置の所在するリソース要素にマッピングすることと、
残りのＨＡＲＱ−ＡＣＫ変調シンボルを、周波数領域優先の方式で、前記周波数領域オフセット値に従って、異なるリソース要素に一つずつマッピングし、周波数領域オフセットが一つの直交周波数分割多重シンボルの周波数領域範囲を超えた場合、次の直交周波数分割多重シンボルのリソース要素に順番でマッピングすることとを含む。
【０００９】
一実施例では、前記開始位置及び前記周波数領域オフセット値に基づき、各ＨＡＲＱ−ＡＣＫ変調シンボルを対応するリソース要素にマッピングすることは、
ＨＡＲＱ−ＡＣＫ変調シンボルをＰ個のシンボルグループに分割し、各シンボルグループに最大Ｎ個のＨＡＲＱ−ＡＣＫ変調シンボルが含まれることと、
第一のグループのＨＡＲＱ−ＡＣＫ変調シンボルを、前記開始位置の所在する周波数領域位置の異なるリソース要素に、一つずつマッピングすることと、
前記開始位置の所在する周波数領域位置及び周波数領域オフセット値に基づき、残りのグループのＨＡＲＱ−ＡＣＫ変調シンボルのうちの各グループのＨＡＲＱ−ＡＣＫ変調シンボルのマッピングする周波数領域位置を確定することと、
前記残りのグループのＨＡＲＱ−ＡＣＫ変調シンボルを、時間領域優先の方式で、対応するグループの周波数領域位置の異なるリソース要素にマッピングすることとを含む。
【００１０】
一実施例では、物理層リソースにマッピングされるＨＡＲＱ−ＡＣＫ変調シンボルの周波数領域オフセット値を確定することは、
ＨＡＲＱ−ＡＣＫ変調シンボルに占有されるリソース要素の数Ｋ及び各直交周波数分割多重シンボルに含まれるリソース要素の数Ｍに基づき、前記周波数領域オフセット値を確定することを含む。
【００１１】
一実施例では、前記開始位置及び前記周波数領域オフセット値に基づき、各ＨＡＲＱ−ＡＣＫ変調シンボルを対応するリソース要素にマッピングすることは、
前記開始位置の所在する周波数領域位置から、Ｑ個のＨＡＲＱ−ＡＣＫ変調シンボルを、時間領域優先の方式で周波数領域位置が同じである異なるリソース要素にマッピングしてから、前記周波数領域オフセット値に従ってオフセットした後に、次のＱ個のＨＡＲＱ−ＡＣＫ変調シンボルを異なるリソース要素にマッピングし続け、前記Ｑが前記Ｋ及び前記Ｍに基づいて計算されることを含む。
【００１２】
一実施例では、物理層リソースにマッピングされるＨＡＲＱ−ＡＣＫ変調シンボルの周波数領域オフセット値を確定することは、
ＫがＭ以下である場合、第一のアルゴリズムを用いて、先頭のＲ個のＨＡＲＱ−ＡＣＫ変調シンボルに対応する第一の周波数領域オフセット値を確定し、第二のアルゴリズムを用いて、先頭のＲ個のＨＡＲＱ−ＡＣＫ変調シンボル以外のＨＡＲＱ−ＡＣＫ変調シンボルに対応する第二の周波数領域オフセット値を確定し、前記Ｒの値が第三のアルゴリズムに基づいて計算され、前記ＫがＨＡＲＱ−ＡＣＫ変調シンボルに占有されるリソース要素の数Ｋであり、Ｍが各直交周波数分割多重シンボルに含まれるリソース要素の数であることと、
ＫがＭより大きい場合、第四のアルゴリズムを用いて、ＨＡＲＱ−ＡＣＫ変調シンボルの先頭のＳ回のオフセットの中でＨＡＲＱ−ＡＣＫ変調シンボルがマッピングされる、各周波数領域位置におけるリソース要素に対応する第一のカウント数を確定し、第五のアルゴリズムを用いて、先頭のＳ回のオフセット以外のＨＡＲＱ−ＡＣＫ変調シンボルのオフセットの中でＨＡＲＱ−ＡＣＫ変調シンボルがマッピングされる、各周波数領域位置におけるリソース要素に対応する第二のカウント数を確定し、前記Ｓの値が第六のアルゴリズムに基づいて計算され、ここで、先頭のＳ回のオフセットに対応する周波数領域オフセット値が第一の設定値であり、先頭のＳ回のオフセット以外の周波数領域オフセットの周波数領域オフセット値が第二の設定値であることとを含む。
【００１３】
一実施例では、前記開始位置及び前記周波数領域オフセット値に基づき、各ＨＡＲＱ−ＡＣＫ変調シンボルを対応するリソース要素にマッピングすることは、
ＫがＭ以下である場合、時間領域優先の方式で前記開始位置から、前記第一の周波数領域オフセット値に従って、先頭のＲ個のＨＡＲＱ−ＡＣＫ変調シンボルを異なる周波数領域位置の異なるリソース要素に一つずつマッピングすることと、
前記Ｒ番目のＨＡＲＱ−ＡＣＫ変調シンボルの所在する周波数領域位置及び前記第二の周波数領域オフセット値に基づき、Ｒ＋１番目のＨＡＲＱ−ＡＣＫ変調シンボルのマッピング先のリソース要素を確定することと、
時間領域優先の方式で、前記Ｒ＋１番目のＨＡＲＱ−ＡＣＫ変調シンボルのマッピング先のリソース要素の位置から、前記第二の周波数領域オフセット値に従って、先頭のＲ個のＨＡＲＱ−ＡＣＫ変調シンボル以外のＨＡＲＱ−ＡＣＫ変調シンボルを異なる周波数領域位置の異なるリソース要素に一つずつマッピングすることとを含む。
【００１４】
一実施例では、前記開始位置及び前記周波数領域オフセット値に基づき、各ＨＡＲＱ−ＡＣＫ変調シンボルを対応するリソース要素にマッピングすることは、
ＫがＭよりも大きい場合、先頭のＳ回の周波数領域オフセットにおいて、時間領域優先の方式で、開始位置の所在する周波数領域位置から、第一の設定値に従って周波数領域オフセットを行い、各周波数領域位置に第一のカウント数のＨＡＲＱ−ＡＣＫ変調シンボルを連続してマッピングすることと、
開始位置の所在する周波数領域位置、第一の設定値、第二の設定値に基づき、Ｓ＋１回目のオフセットに対応する開始位置を確定することと、
先頭のＳ回のオフセットを実行した後に、時間領域優先の方式で、Ｓ＋１回目のオフセットに対応する開始位置の所在する周波数領域位置から、第一の設定値に従って周波数領域オフセットを行い、各周波数領域位置に第二のカウント数のＨＡＲＱ−ＡＣＫ変調シンボルを連続してマッピングすることとを含む。
【００１５】
一実施例では、方法はさらに、
チャネル状態情報（ＣＳＩ）、ＨＡＲＱ−ＡＣＫ情報及びアップリンクデータを多重化伝送する時に、ＣＳＩ変調シンボルのマッピング先のリソース要素を優先的に確定することと、
リソース要素にマッピングされた前記ＣＳＩ変調シンボルのリソース要素以外のリソース要素を、前記ＨＡＲＱ−ＡＣＫ変調シンボルのマッピング可能なリソース要素として確定し、又は前記ＣＳＩ変調シンボルのマッピング先のリソース要素の所在する直交周波数分割多重シンボル以外のリソース要素を前記ＨＡＲＱ−ＡＣＫ変調シンボルのマッピング可能なリソース要素として確定することとを含み、
前記開始位置及び前記周波数領域オフセット値に基づき、各ＨＡＲＱ−ＡＣＫ変調シンボルを対応するリソース要素にマッピングすることは、
前記開始位置及び前記周波数領域オフセット値に基づき、前記ＨＡＲＱ−ＡＣＫ変調シンボルを前記マッピング可能なリソース要素にマッピングすることを含む。
【００１６】
一実施例では、チャネル状態情報（ＣＳＩ）、ＨＡＲＱ−ＡＣＫ情報及びアップリンクデータを多重化伝送する時に、各ＨＡＲＱ−ＡＣＫ変調シンボルを対応するリソース要素にマッピングした後、さらに、
前記ＨＡＲＱ−ＡＣＫ変調シンボルのマッピング先のリソース要素以外のリソース要素を前記ＣＳＩ変調シンボルのマッピング可能なリソース要素として確定することと、
前記ＣＳＩ変調シンボルを予め設定されたマッピングルールに従って、前記ＣＳＩ変調シンボルのマッピング可能なリソース要素にマッピングすることとを含む。
【００１７】
本開示の実施例の第二の態様によれば、物理層リソースマッピング方法が提供され、基地局に適用され、前記方法は、
ユーザ装置から送信された、ＨＡＲＱ−ＡＣＫ変調シンボル及びデータ変調シンボルを含む符号化データを受信することと、
物理層リソースにマッピングされた前記ＨＡＲＱ−ＡＣＫ変調シンボルの開始位置及び周波数領域オフセット値に基づき、前記ＨＡＲＱ−ＡＣＫ変調シンボルを含むリソース要素及びデータ変調シンボルを含むリソース要素を確定し、前記周波数領域オフセット値が、異なるＨＡＲＱ−ＡＣＫ変調シンボルのマッピング先のリソース要素の周波数領域オフセットであることと、
前記ＨＡＲＱ−ＡＣＫ変調シンボルを含むリソース要素及びデータ変調シンボルを含むリソース要素に基づき、ＨＡＲＱ−ＡＣＫ情報とアップリンクデータを取得することとを含む。
【００１８】
一実施例では、物理層リソースにマッピングされた前記ＨＡＲＱ−ＡＣＫ変調シンボルの開始位置は、アップリンクデータの復調基準信号に隣接する直交周波数分割多重シンボルの最低周波数領域位置であり、又は、アップリンクデータの復調基準信号以外の１番目の直交周波数分割多重シンボルの最低周波数領域位置である。
【００１９】
一実施例では、物理層リソースにマッピングされた前記ＨＡＲＱ−ＡＣＫ変調シンボルの周波数領域オフセット値は、ＨＡＲＱ−ＡＣＫ変調シンボルに占有されるリソース要素の数Ｋ、及び各直交周波数分割多重シンボルに含まれるリソース要素の数Ｍに基づいて得られる。
【００２０】
一実施例では、物理層リソースにマッピングされた前記ＨＡＲＱ−ＡＣＫ変調シンボルの周波数領域オフセット値は、ＨＡＲＱ−ＡＣＫ変調シンボルのマッピング可能な直交周波数分割多重シンボルの数Ｎ、ＨＡＲＱ−ＡＣＫ変調シンボルに占有されるリソース要素の数Ｋ、及び各直交周波数分割多重シンボルに含まれるリソース要素の数Ｍに基づいて得られる。
【００２１】
本開示の実施例の第三の態様によれば、物理層リソースマッピング装置が提供され、ユーザ装置に適用され、前記装置は、
ＨＡＲＱ−ＡＣＫ情報とアップリンクデータを多重化伝送する時に、物理層リソースにマッピングされるＨＡＲＱ−ＡＣＫ変調シンボルの開始位置及び周波数領域オフセット値を確定するように構成され、前記周波数領域オフセット値が、異なるＨＡＲＱ−ＡＣＫ変調シンボルのマッピング先のリソース要素の周波数領域オフセットである第一の確定モジュールと、
前記第一の確定モジュールによって確定された前記開始位置及び前記周波数領域オフセット値に基づき、各ＨＡＲＱ−ＡＣＫ変調シンボルを対応するリソース要素にマッピングするように構成される第一のマッピングモジュールとを備える。
【００２２】
一実施例では、前記第一の確定モジュールは、
アップリンクデータの復調基準信号に隣接する直交周波数分割多重シンボルの最低周波数領域位置を前記開始位置として確定するように構成される第一の確定サブモジュール、又は、
アップリンクデータの復調基準信号以外の１番目の直交周波数分割多重シンボルの最低周波数領域位置を前記開始位置として確定するように構成される第二の確定サブモジュールを含む。
【００２３】
一実施例では、前記第一の確定モジュールは、
ＨＡＲＱ−ＡＣＫ変調シンボルのマッピング可能な直交周波数分割多重シンボルの数Ｎ、ＨＡＲＱ−ＡＣＫ変調シンボルに占有されるリソース要素の数Ｋ、及び各直交周波数分割多重シンボルに含まれるリソース要素の数Ｍに基づき、前記周波数領域オフセット値を確定するように構成される第三の確定サブモジュールを含む。
【００２４】
一実施例では、前記第一のマッピングモジュールは、
１番目のＨＡＲＱ−ＡＣＫ変調シンボルを前記開始位置の所在するリソース要素にマッピングするように構成される第一のマッピングサブモジュールと、
残りのＨＡＲＱ−ＡＣＫ変調シンボルを、周波数領域優先の方式で、前記周波数領域オフセット値に従って、異なるリソース要素に一つずつマッピングし、周波数領域オフセットが一つの直交周波数分割多重シンボルの周波数領域範囲を超えた場合、次の直交周波数分割多重シンボルのリソース要素に順番でマッピングするように構成される第二のマッピングサブモジュールとを含む。
【００２５】
一実施例では、前記第一のマッピングモジュールは、
ＨＡＲＱ−ＡＣＫ変調シンボルをＰ個のシンボルグループに分割するように構成され、各シンボルグループに最大Ｎ個のＨＡＲＱ−ＡＣＫ変調シンボルが含まれる分割サブモジュールと、
第一ののグループのＨＡＲＱ−ＡＣＫ変調シンボルを前記開始位置の所在する周波数領域位置の異なるリソース要素に一つずつマッピングするように構成される第三のマッピングサブモジュールと、
前記開始位置の所在する周波数領域位置及び周波数領域オフセット値に基づき、残りのグループのＨＡＲＱ−ＡＣＫ変調シンボルのうちの各グループのＨＡＲＱ−ＡＣＫ変調シンボルのマッピングする周波数領域位置を確定するように構成される第四の確定サブモジュールと、
前記残りのグループのＨＡＲＱ−ＡＣＫ変調シンボルを、時間領域優先の方式で、対応するグループの周波数領域位置の異なるリソース要素にマッピングするように構成される第四のマッピングサブモジュールとを含む。
【００２６】
一実施例では、前記第一の確定モジュールは、
ＨＡＲＱ−ＡＣＫ変調シンボルに占有されるリソース要素の数Ｋ及び各直交周波数分割多重シンボルに含まれるリソース要素の数Ｍに基づき、前記周波数領域オフセット値を確定するように構成される第五の確定サブモジュールを含む。
【００２７】
一実施例では、前記第一のマッピングモジュールは、
前記開始位置の所在する周波数領域位置から、Ｑ個のＨＡＲＱ−ＡＣＫ変調シンボルを、時間領域優先の方式で周波数領域位置が同じである異なるリソース要素にマッピングしてから、前記周波数領域オフセット値に従ってオフセットした後に、次のＱ個のＨＡＲＱ−ＡＣＫ変調シンボルを異なるリソース要素にマッピングし続けるように構成され、前記Ｑが前記Ｋ及び前記Ｍに基づいて計算される第五のマッピングサブモジュールを含む。
【００２８】
一実施例では、前記第一の確定モジュールは、
ＫがＭ以下である場合、第一のアルゴリズムを用いて、先頭のＲ個のＨＡＲＱ−ＡＣＫ変調シンボルに対応する第一の周波数領域オフセット値を確定し、第二のアルゴリズムを用いて、先頭のＲ個のＨＡＲＱ−ＡＣＫ変調シンボル以外のＨＡＲＱ−ＡＣＫ変調シンボルに対応する第二の周波数領域オフセット値を確定するように構成され、前記Ｒの値が第三のアルゴリズムに基づいて計算され、前記ＫがＨＡＲＱ−ＡＣＫ変調シンボルに占有されるリソース要素の数Ｋであり、Ｍが各直交周波数分割多重シンボルに含まれるリソース要素の数である第六の確定サブモジュールと、
ＫがＭより大きい場合、第四のアルゴリズムを用いて、ＨＡＲＱ−ＡＣＫ変調シンボルの先頭のＳ回のオフセットの中でＨＡＲＱ−ＡＣＫ変調シンボルがマッピングされる、各周波数領域位置におけるリソース要素に対応する第一のカウント数を確定し、第五のアルゴリズムを用いて、先頭のＳ回のオフセット以外のＨＡＲＱ−ＡＣＫ変調シンボルのオフセットの中でＨＡＲＱ−ＡＣＫ変調シンボルがマッピングされる、各周波数領域位置におけるリソース要素に対応する第二のカウント数を確定するように構成され、前記Ｓの値が第六のアルゴリズムに基づいて計算され、ここで、先頭のＳ回のオフセットに対応する周波数領域オフセット値が第一の設定値であり、先頭のＳ回のオフセット以外の周波数領域オフセットの周波数領域オフセット値が第二の設定値である第七の確定サブモジュールとを含む。
【００２９】
一実施例では、前記第一のマッピングモジュールは、
ＫがＭ以下である場合、時間領域優先の方式で前記開始位置から、前記第一の周波数領域オフセット値に従って、先頭のＲ個のＨＡＲＱ−ＡＣＫ変調シンボルを異なる周波数領域位置の異なるリソース要素に一つずつマッピングするように構成される第六のマッピングサブモジュールと、
前記Ｒ番目のＨＡＲＱ−ＡＣＫ変調シンボルの所在する周波数領域位置及び前記第二の周波数領域オフセット値に基づき、Ｒ＋１番目のＨＡＲＱ−ＡＣＫ変調シンボルのマッピング先のリソース要素を確定するように構成される第八の確定サブモジュールと、
時間領域優先の方式で、前記Ｒ＋１番目のＨＡＲＱ−ＡＣＫ変調シンボルのマッピング先のリソース要素の位置から、前記第二の周波数領域オフセット値に従って、先頭のＲ個のＨＡＲＱ−ＡＣＫ変調シンボル以外のＨＡＲＱ−ＡＣＫ変調シンボルを異なる周波数領域位置の異なるリソース要素に一つずつマッピングするように構成される第七のマッピングサブモジュールとを含む。
【００３０】
一実施例では、第一のマッピングモジュールは、
ＫがＭよりも大きい場合、先頭のＳ回の周波数領域オフセットにおいて、時間領域優先の方式で、開始位置の所在する周波数領域位置から、第一の設定値に従って周波数領域オフセットを行い、各周波数領域位置に第一のカウント数のＨＡＲＱ−ＡＣＫ変調シンボルを連続してマッピングするように構成される第八のマッピングサブモジュールと、
開始位置の所在する周波数領域位置、第一の設定値、第二の設定値に基づき、Ｓ＋１回目のオフセットに対応する開始位置を確定するように構成される第九の確定サブモジュールと、
先頭のＳ回のオフセットを実行した後に、時間領域優先の方式で、Ｓ＋１回目のオフセットに対応する開始位置の所在する周波数領域位置から、第一の設定値に従って周波数領域オフセットを行い、各周波数領域位置に第二のカウント数のＨＡＲＱ−ＡＣＫ変調シンボルを連続してマッピングするように構成される第九のマッピングサブモジュールとを含む。
【００３１】
一実施例において、前記装置はさらに、
チャネル状態情報（ＣＳＩ）、ＨＡＲＱ−ＡＣＫ情報及びアップリンクデータを多重化伝送する時に、ＣＳＩ変調シンボルのマッピング先のリソース要素を優先的に確定するように構成される第二の確定モジュールと、
前記ＣＳＩ変調シンボルのマッピング先のリソース要素以外のリソース要素を前記ＨＡＲＱ−ＡＣＫ変調シンボルのマッピング可能なリソース要素として確定し、又は前記ＣＳＩ変調シンボルのマッピング先のリソース要素の所在する直交周波数分割多重シンボル以外のリソース要素を前記ＨＡＲＱ−ＡＣＫ変調シンボルのマッピング可能なリソース要素として確定するように構成される第三の確定モジュールとを備え、
前記第一のマッピングモジュールは、
前記開始位置及び前記周波数領域オフセット値に基づき、前記ＨＡＲＱ−ＡＣＫ変調シンボルを前記マッピング可能なリソース要素にマッピングするように構成される第十のマッピングサブモジュールを含む。
【００３２】
一実施例において、前記装置はさらに、
前記ＨＡＲＱ−ＡＣＫ変調シンボルのマッピング先のリソース要素以外のリソース要素を前記ＣＳＩ変調シンボルのマッピング可能なリソース要素として確定するように構成される第四の確定モジュールと、
前記ＣＳＩ変調シンボルを予め設定されたマッピングルールに従って、前記ＣＳＩ変調シンボルのマッピング可能なリソース要素にマッピングするように構成される第二のマッピングモジュールとを備える。
【００３３】
本開示の実施例の第四の態様によれば、物理層リソースマッピング装置が提供され、基地局に適用され、前記装置は、
ユーザ装置から送信された、ＨＡＲＱ−ＡＣＫ変調シンボル及びデータ変調シンボルを含む符号化データを受信するように構成される受信モジュールと、
物理層リソースにマッピングされた前記ＨＡＲＱ−ＡＣＫ変調シンボルの開始位置及び周波数領域オフセット値に基づき、前記ＨＡＲＱ−ＡＣＫ変調シンボルを含むリソース要素及びデータ変調シンボルを含むリソース要素を確定するように構成され、前記周波数領域オフセット値が、異なるＨＡＲＱ−ＡＣＫ変調シンボルのマッピング先のリソース要素の周波数領域オフセットである第五の確定モジュールと、
前記ＨＡＲＱ−ＡＣＫ変調シンボルを含むリソース要素及びデータ変調シンボルを含むリソース要素に基づき、ＨＡＲＱ−ＡＣＫ情報とアップリンクデータを取得するように構成されるデータ取得モジュールとを備える。
【００３４】
一実施例では、物理層リソースにマッピングされた前記ＨＡＲＱ−ＡＣＫ変調シンボルの開始位置は、アップリンクデータの復調基準信号に隣接する直交周波数分割多重シンボルの最低周波数領域位置であり、又は、アップリンクデータの復調基準信号以外の１番目の直交周波数分割多重シンボルの最低周波数領域位置である。
【００３５】
一実施例では、物理層リソースにマッピングされた前記ＨＡＲＱ−ＡＣＫ変調シンボルの周波数領域オフセット値は、ＨＡＲＱ−ＡＣＫ変調シンボルに占有されるリソース要素の数Ｋ、及び各直交周波数分割多重シンボルに含まれるリソース要素の数Ｍに基づいて得られる。
【００３６】
一実施例では、物理層リソースにマッピングされた前記ＨＡＲＱ−ＡＣＫ変調シンボルの周波数領域オフセット値は、ＨＡＲＱ−ＡＣＫ変調シンボルのマッピング可能な直交周波数分割多重シンボルの数Ｎ、ＨＡＲＱ−ＡＣＫ変調シンボルに占有されるリソース要素の数Ｋ、及び各直交周波数分割多重シンボルに含まれるリソース要素の数Ｍに基づいて得られる。
【００３７】
本開示の実施例の第五の態様によるユーザ装置は、
プロセッサと、
プロセッサでの実行可能な命令を記憶するように構成されるメモリとを備え、
ここで、前記プロセッサは、
ＨＡＲＱ−ＡＣＫ情報とアップリンクデータを多重化伝送する時に、物理層リソースにマッピングされるＨＡＲＱ−ＡＣＫ変調シンボルの開始位置及び周波数領域オフセット値を確定し、前記周波数領域オフセット値が、異なるＨＡＲＱ−ＡＣＫ変調シンボルのマッピング先のリソース要素の周波数領域オフセットであり、
前記開始位置及び前記周波数領域オフセット値に基づき、各ＨＡＲＱ−ＡＣＫ変調シンボルを対応するリソース要素にマッピングするように構成される。
【００３８】
本開示の実施例の第六の態様による基地局は、
プロセッサと、
プロセッサでの実行可能な命令を記憶するように構成されるメモリとを備え、
ユーザ装置から送信された、ＨＡＲＱ−ＡＣＫ変調シンボル及びデータ変調シンボルを含む符号化データを受信し、
物理層リソースにマッピングされた前記ＨＡＲＱ−ＡＣＫ変調シンボルの開始位置及び周波数領域オフセット値に基づき、前記ＨＡＲＱ−ＡＣＫ変調シンボルを含むリソース要素及びデータ変調シンボルを含むリソース要素を確定し、前記周波数領域オフセット値が異なるＨＡＲＱ−ＡＣＫ変調シンボルのマッピング先のリソース要素の周波数領域オフセットであり、
前記ＨＡＲＱ−ＡＣＫ変調シンボルを含むリソース要素及びデータ変調シンボルを含むリソース要素に基づき、ＨＡＲＱ−ＡＣＫ情報とアップリンクデータを取得するように構成される。
【００３９】
本開示の実施例の第七の態様によれば、コンピュータ命令を記憶しており、前記命令がプロセッサに実行される時に以下のステップを実現する非一時的コンピュータ可読記憶媒体が提供される：
ＨＡＲＱ−ＡＣＫ情報とアップリンクデータを多重化伝送する時に、物理層リソースにマッピングされるＨＡＲＱ−ＡＣＫ変調シンボルの開始位置及び周波数領域オフセット値を確定し、前記周波数領域オフセット値が、異なるＨＡＲＱ−ＡＣＫ変調シンボルのマッピング先のリソース要素の周波数領域オフセットであり、
前記開始位置及び前記周波数領域オフセット値に基づき、各ＨＡＲＱ−ＡＣＫ変調シンボルを対応するリソース要素にマッピングする。
【００４０】
本開示の実施例の第八の態様によれば、コンピュータ命令を記憶しており、前記命令がプロセッサに実行される時に以下のステップを実現する非一時的コンピュータ可読記憶媒体が提供される：
ユーザ装置から送信された、ＨＡＲＱ−ＡＣＫ変調シンボル及びデータ変調シンボルを含む符号化データを受信し、
物理層リソースにマッピングされた前記ＨＡＲＱ−ＡＣＫ変調シンボルの開始位置及び周波数領域オフセット値に基づき、前記ＨＡＲＱ−ＡＣＫ変調シンボルを含むリソース要素及びデータ変調シンボルを含むリソース要素を確定し、前記周波数領域オフセット値が異なるＨＡＲＱ−ＡＣＫ変調シンボルのマッピング先のリソース要素の周波数領域オフセットであり、
前記ＨＡＲＱ−ＡＣＫ変調シンボルを含むリソース要素及びデータ変調シンボルを含むリソース要素に基づき、ＨＡＲＱ−ＡＣＫ情報とアップリンクデータを取得する。
【発明の効果】
【００４１】
本開示の実施例が提供する技術的解決手段は以下の有益な効果を含むことができる：
ユーザ装置がＨＡＲＱ−ＡＣＫ情報とアップリンクデータを同時に送信する必要がある時に、物理層リソースにマッピングされるＨＡＲＱ−ＡＣＫ変調シンボルの開始位置及び周波数領域オフセット値を確定することができ、周波数領域オフセット値に基づき、周波数領域において、各ＨＡＲＱ−ＡＣＫ変調シンボルをできるだけ多くの直交周波数分割多重シンボルに均一に分布することを実現することができ、１つ又はいくつかの直交周波数分割多重シンボルへのＨＡＲＱ−ＡＣＫ変調シンボルの集中分布に起因するアップリンクデータ伝送性能の低下の問題が回避される。
【００４２】
以上の一般的な説明及び以下の詳細な説明は例示的及び解釈的なものだけであり、本開示を制限できないと理解すべきである。
【図面の簡単な説明】
【００４３】
【図１Ａ】一つの例示的な実施例による物理層リソースマッピング方法のフローチャートである。
【図１Ｂ】一つの例示的な実施例による物理層リソースマッピング方法のシーン図である。
【図１Ｃ】一つの例示的な実施例による物理層リソースマッピングを示す図一である。
【図２Ａ】一つの例示的な実施例による他の物理層リソースマッピング方法のフローチャートである。
【図２Ｂ】一つの例示的な実施例による物理層リソースマッピングを示す図二である。
【図３Ａ】一つの例示的な実施例による他の物理層リソースマッピング方法のフローチャートである。
【図３Ｂ】一つの例示的な実施例による物理層リソースマッピングを示す図三である。
【図４Ａ】一つの例示的な実施例による他の物理層リソースマッピング方法のフローチャートである。
【図４Ｂ】一つの例示的な実施例による物理層リソースマッピングを示す図四である。
【図５Ａ】一つの例示的な実施例による他の物理層リソースマッピング方法のフローチャートである。
【図５Ｂ】一つの例示的な実施例による物理層リソースマッピングを示す図五である。
【図５Ｃ】一つの例示的な実施例による物理層リソースマッピングを示す図六である。
【図６Ａ】一つの例示的な実施例による他の物理層リソースマッピング方法のフローチャートである。
【図６Ｂ】一つの例示的な実施例による物理層リソースマッピングを示す図七である。
【図７Ａ】一つの例示的な実施例による他の物理層リソースマッピング方法のフローチャートである。
【図７Ｂ】一つの例示的な実施例による物理層リソースマッピングを示す図八である。
【図８】一つの例示的な実施例による物理層リソースマッピング方法のフローチャートである。
【図９】一つの例示的な実施例による物理層リソースマッピング装置のブロック図である。
【図１０】一つの例示的な実施例による他の物理層リソースマッピング装置のブロック図である。
【図１１】一つの例示的な実施例による他の物理層リソースマッピング装置のブロック図である。
【図１２】一つの例示的な実施例による物理層リソースマッピング装置のブロック図である。
【図１３】一つの例示的な実施例による物理層リソースマッピング装置に適用するブロック図である。
【図１４】一つの例示的な実施例による物理層リソースマッピング装置に適用するブロック図である。
【発明を実施するための形態】
【００４４】
ここでの添付図面は本明細書に組み込まれて本明細書の一部を構成し、本開示に一致する実施例を示し、且つ明細書と共に本発明の原理を解釈することに用いられる。
【００４５】
ここで例示的な実施例を詳しく説明し、その例が図面に示される。以下の説明が図面に関する時に、特に明記しない限り、異なる図面における同じ数字は同じ又は類似の要素を表す。以下の例示的な実施例で説明される実施形態は本発明に一致する全ての実施形態を表すものではない。逆に、それらは添付の特許請求の範囲に詳細に説明される、本発明のいくつかの態様に一致する装置及び方法の例に過ぎない。
【００４６】
図１Ａが一つの例示的な実施例による物理層リソースマッピング方法のフローチャートであり、図１Ｂが一つの例示的な実施例による物理層リソースマッピング方法のシーン図であり、図１Ｃが一つの例示的な実施例による物理層リソースマッピングを示す図一であり、該物理層リソースマッピング方法がユーザ装置に適用されてもよく、図１Ａに示すように、該物理層マッピング方法はステップ１０１〜１０２を含む。
【００４７】
ステップ１０１において、ＨＡＲＱ−ＡＣＫ情報とアップリンクデータを多重化伝送する時に、物理層リソースにマッピングされるＨＡＲＱ−ＡＣＫ変調シンボルの開始位置及び周波数領域オフセット値を確定する。
【００４８】
一実施例では、周波数領域オフセット値は異なるＨＡＲＱ−ＡＣＫ変調シンボルのマッピング先のリソース要素の周波数領域オフセットである。
【００４９】
一実施例では、アップリンクデータの復調基準信号に隣接する直交周波数分割多重シンボルの最低周波数領域位置を開始位置として確定することができ、図１Ｃにおける符号１１又は符号１２に示される位置が挙げられる。一実施例では、アップリンクデータの復調基準信号以外の１番目の直交周波数分割多重シンボルの最低周波数領域位置を開始位置として確定することができ、図１Ｃにおける符号１１に示される位置が挙げられる。例えば、復調基準信号の所在する直交周波数分割多重シンボルの前の符号が空のシンボルである場合、符号１１に示される位置を開始位置として確定することができ、復調基準信号の所在する直交周波数分割多重シンボルの前の符号が空のシンボルではない場合、符号１３に示される位置を開始位置として確定してもよい。
【００５０】
一実施例では、周波数領域オフセット値は異なるＨＡＲＱ−ＡＣＫ変調シンボルのマッピング先のリソース要素の周波数領域オフセットと理解されてもよい。一実施例では、周波数領域オフセット値は、ＨＡＲＱ−ＡＣＫ変調シンボルのマッピング可能な直交周波数分割多重シンボルの数Ｎ、ＨＡＲＱ−ＡＣＫ変調シンボルに占有されるリソース要素の数Ｋ、及び各直交周波数分割多重シンボルに含まれるリソース要素の数Ｍに基づいて確定されてもよく、一実施例では、周波数領域オフセット値は、ＨＡＲＱ−ＡＣＫ変調シンボルに占有されるリソース要素の数Ｋ、及び各直交周波数分割多重シンボルに含まれるリソース要素の数Ｍに基づいて確定されてもよく、一実施例では、周波数領域オフセット値はさらに予め設定された固定値であってもよい。
【００５１】
ステップ１０２において、開始位置及び周波数領域オフセット値に基づき、各ＨＡＲＱ−ＡＣＫ変調シンボルを対応するリソース要素にマッピングする。
【００５２】
一実施例では、ＨＡＲＱ−ＡＣＫ情報及びアップリンクデータを多重化伝送するため、各ＨＡＲＱ−ＡＣＫ変調シンボルを対応するリソース要素にマッピングする時に、対応するリソース要素のアップリンクデータ変調シンボルが置き換えられる。
【００５３】
一実施例では、周波数領域オフセット値が異なり、各ＨＡＲＱ−ＡＣＫ変調シンボルを対応するリソース要素にマッピングする方式も異なり、図２Ａ−図７Ａに示す実施例の説明を参照することができ、ここで詳細に説明しない。
【００５４】
一つの例示的なシーンにおいて、図１Ｂに示すように、移動ネットワークが次世代ネットワーク、例えば５Ｇネットワークであり且つ基地局がｇＮＢであることを例として例示的に説明し、図１Ｂに示すシーンにおいて、ｇＮＢ１０、ＵＥ２０を含み、ここで、ｇＮＢ１０とＵＥ２０の間にデータ伝送が行われる場合、ＵＥ２０側にアップリンクデータとＨＡＲＱ−ＡＣＫが同時にｇＮＢ１０に送信されると、ＨＡＲＱ−ＡＣＫ変調シンボルを周波数領域でできるだけ多くの直交周波数分割多重シンボルに均一に分布することができ、１つ又はいくつかの直交周波数分割多重シンボルへのＨＡＲＱ−ＡＣＫ変調シンボルの集中分布に起因するアップリンクデータ伝送性能の低下の問題が回避される。
【００５５】
以下に本開示の実施例が提供する技術的解決手段を具体的な実施例で説明する。
【００５６】
図２Ａが一つの例示的な実施例による他の物理層リソースマッピング方法のフローチャートであり、図２Ｂが一つの例示的な実施例による物理層リソースマッピングを示す図二であり、本実施例では、本開示の実施例による上記方法を用い、ユーザ装置がどのようにＨＡＲＱ−ＡＣＫ変調シンボルを物理層リソースにマッピングするかを例として例示的に説明し、図２Ａに示すように、以下のステップを含む。
【００５７】
ステップ２０１において、物理層リソースにマッピングされるＨＡＲＱ−ＡＣＫ変調シンボルの開始位置を確定し、且つＨＡＲＱ−ＡＣＫ変調シンボルのマッピング可能な直交周波数分割多重シンボルの数Ｎ、ＨＡＲＱ−ＡＣＫ変調シンボルに占有されるリソース要素の数Ｋ、及び各直交周波数分割多重シンボルに含まれるリソース要素の数Ｍに基づいて周波数領域オフセット値を確定する。
【００５８】
一実施例では、物理層リソースにマッピングされるＨＡＲＱ−ＡＣＫ変調シンボルの開始位置を確定する方式については、図１Ａに示す実施例のステップ１０１の説明を参照できるため、ここで詳細に説明しない。
【００５９】
一実施例では、式（１）に基づいて周波数領域オフセット値を確定することができる。
【００６０】
ｆｌｏｏｒ（Ｍ＊Ｎ／Ｋ））        式（１）
式（１）で、Ｍが各直交周波数分割多重シンボルに含まれるリソース要素の数であり、ＫがＨＡＲＱ−ＡＣＫ変調シンボルに占有されたリソース要素の数であり、ＮがＨＡＲＱ−ＡＣＫ変調シンボルのマッピング可能な直交周波数分割多重シンボルの数である。
【００６１】
一実施例では、各直交周波数分割多重シンボルに含まれるリソース要素の数が１２、２４などの設定された数であってもよく、ＨＡＲＱ−ＡＣＫ変調シンボルに占有されるリソース要素の数Ｋが、基地局側の構成及び物理アップリンク共有チャネル（Ｐｈｙｓｉｃａｌ  Ｕｐｌｉｎｋ  Ｓｈａｒｅｄ  Ｃｈａｎｎｅｌ：ＰＵＳＣＨと略称）のリソース割り当てに従って、ユーザ装置によって計算されてもよいし、プロトコルの定めに基づいて計算されてもよく、ＨＡＲＱ−ＡＣＫ変調シンボルのマッピング可能な直交周波数分割多重シンボルの数Ｎが、アップリンクデータ伝送のための直交周波数分割多重シンボル（ｓｙｍｂｏｌ）から、ＤＭＲＳ及びＰＴ−ＲＳに占有されるシンボル（ｙｍｂｏｌ）を除外した残りのシンボルの数であってもよい。
【００６２】
一実施例では、式（１）に基づき、Ｋ＝２４、Ｍ＝２４、Ｎ＝１０と仮定し、２Ｂを参照すると、周波数領域オフセット値がｆｌｏｏｒ（２４×１０／２４）＝１０であると計算してもよく、即ち一つのＨＡＲＱ−ＡＣＫ変調シンボルのリソース要素の所在位置で、周波数領域方向において、下方に１０つのリソース要素分をオフセットし、その結果が、次のＨＡＲＱ−ＡＣＫ変調シンボルのリソース要素の所在する位置となる。
【００６３】
ステップ２０２において、１番目のＨＡＲＱ−ＡＣＫ変調シンボルを開始位置の所在するリソース要素にマッピングする。
【００６４】
一実施例では、図２Ｂを参照すると、開始位置が符号２１に示される位置であると仮定すると、１番目のＨＡＲＱ−ＡＣＫ変調シンボルを符号２１に示される開始位置の所在するリソース要素にマッピングすることができる。
【００６５】
ステップ２０３において、残りのＨＡＲＱ−ＡＣＫ変調シンボルを周波数領域優先の方式で周波数領域オフセット値に従って異なるリソース要素に一つずつマッピングし、周波数領域オフセットが一つの直交周波数分割多重シンボルの周波数領域範囲を超えた場合、次の直交周波数分割多重シンボルのリソース要素に順番でマッピングする。
【００６６】
一実施例では、１番目のＨＡＲＱ−ＡＣＫ変調シンボルを開始位置の所在するリソース要素にマッピングした後、残りのＨＡＲＱ−ＡＣＫ変調シンボルを周波数領域オフセット値で対応するリソース要素に順次マッピングすることができ、マッピング順番について図２Ｂの矢印で示される順番を参照でき、即ち、１つの直交周波数分割多重シンボルの周波数領域範囲を超える周波数領域オフセットを行う時に、次の直交周波数分割多重シンボルのリソース要素に順番でマッピングする。
【００６７】
本実施例では、周波数領域優先の方式で、周波数領域において、ＨＡＲＱ−ＡＣＫ変調シンボルをできるだけ多くの直交周波数分割多重シンボルに均一に分布し、１つ又はいくつかの直交周波数分割多重シンボルへのＨＡＲＱ−ＡＣＫ変調シンボルの集中分布に起因するアップリンクデータ伝送性能の低下の問題を回避することが開示される。周波数領域優先の方式で、アップリンクデータの時間周波数リソースにおけるＨＡＲＱ−ＡＣＫ変調シンボルの多重化を実現している。
【００６８】
図３Ａが一つの例示的な実施例による他の物理層リソースマッピング方法のフローチャートであり、図３Ｂが一つの例示的な実施例による物理層リソースマッピングを示す図三であり、本実施例では、本開示の実施例による上記方法を用い、ユーザ装置がどのようにＨＡＲＱ−ＡＣＫ変調シンボルを物理層リソースにマッピングするかを例として例示的に説明し、図３Ａに示すように、以下のステップを含む。
【００６９】
ステップ３０１において、物理層リソースにマッピングされるＨＡＲＱ−ＡＣＫ変調シンボルの開始位置を確定し、且つＨＡＲＱ−ＡＣＫ変調シンボルのマッピング可能な直交周波数分割多重シンボルの数Ｎ、ＨＡＲＱ−ＡＣＫ変調シンボルに占有されるリソース要素の数Ｋ、及び各直交周波数分割多重シンボルに含まれるリソース要素の数Ｍに基づいて周波数領域オフセット値を確定する。
【００７０】
一実施例では、物理層リソースにマッピングされるＨＡＲＱ−ＡＣＫ変調シンボルの開始位置を確定する方式については図１Ａに示す実施例のステップ１０１の説明を参照できるため、ここで詳細に説明しない。
【００７１】
一実施例では、式（２）に基づいて周波数領域オフセット値を確定することができる。
【００７２】
【数１】
2021503236.tif 000003
【００７３】
式（２）で、Ｍが各直交周波数分割多重シンボルに含まれるリソース要素の数であり、ＫがＨＡＲＱ−ＡＣＫ変調シンボルに占有されたリソース要素の数であり、ＮがＨＡＲＱ−ＡＣＫ変調シンボルのマッピング可能な直交周波数分割多重シンボルの数である。
【００７４】
一実施例では、各直交周波数分割多重シンボルに含まれるリソース要素の数が１２、２４などの設定された数であってもよく、ＨＡＲＱ−ＡＣＫ変調シンボルに占有されるリソース要素の数Ｋが、基地局側の構成及びＰＵＳＣＨのリソース割り当てに基づいて、ユーザ装置によって計算されてもよいし、プロトコルの定めに基づいて計算されてもよく、ＨＡＲＱ−ＡＣＫ変調シンボルのマッピング可能な直交周波数分割多重シンボルの数Ｎが、アップリンクデータ伝送のための直交周波数分割多重シンボル（ｓｙｍｂｏｌ）から、ＤＭＲＳ及びＰＴ−ＲＳに占有されたシンボル（ｓｙｍｂｏｌ）を除外した残りのシンボルの数であってもよい。
【００７５】
一実施例では、式（２）に基づき、Ｋ＝２４、Ｍ＝２４、Ｎ＝１０と仮定し、３Ｂを参照すると、周波数領域オフセット値がｆｌｏｏｒ（２４／ｃｅｉｌ（２４／１０）＝８であると計算してもよく、即ち、一つのＨＡＲＱ−ＡＣＫ変調シンボルのリソース要素の位置で、周波数領域方向において、下方に８つのリソース要素分をオフセットし、その結果が、次のＨＡＲＱ−ＡＣＫ変調シンボルのリソース要素の所在する位置となる。
【００７６】
ステップ３０２において、ＨＡＲＱ−ＡＣＫ変調シンボルをＰ個のシンボルグループに分割し、各シンボルグループに最大Ｎ個のＨＡＲＱ−ＡＣＫ変調シンボルが含まれる。
【００７７】
一実施例では、ステップ３０１の例を参照すると、ＨＡＲＱ−ＡＣＫ変調シンボルのマッピング可能な直交周波数分割多重シンボルの数が１０であり、ＨＡＲＱ−ＡＣＫ変調シンボルのリソース要素の数が２４であると仮定し、各シンボルグループに最大１０つのＨＡＲＱ−ＡＣＫ変調シンボルが含まれるため、ＨＡＲＱ−ＡＣＫ変調シンボルを３つのグループに分割することができ、第一のグループと第二のグループのそれぞれに１０つのＨＡＲＱ−ＡＣＫ変調シンボルが含まれ、第三のグループに４つのＨＡＲＱ−ＡＣＫ変調シンボルが含まれ、又は３つのグループの全てに８つのＨＡＲＱ−ＡＣＫ変調シンボルが含まれてもよい。
【００７８】
ステップ３０３において、第一のグループのＨＡＲＱ−ＡＣＫ変調シンボルを、開始位置の所在する周波数領域位置の異なるリソース要素に一つずつマッピングする。
【００７９】
ステップ３０４において、開始位置の所在する周波数領域位置及び周波数領域オフセット値に基づき、残りのグループのＨＡＲＱ−ＡＣＫ変調シンボルのうちの各グループのＨＡＲＱ−ＡＣＫ変調シンボルのマッピングする周波数領域位置を確定する。
【００８０】
ステップ３０５において、残りのグループのＨＡＲＱ−ＡＣＫ変調シンボルを、時間領域優先の方式で、対応するグループの周波数領域位置の異なるリソース要素にマッピングする。
【００８１】
一実施例では、ステップ３０３〜ステップ３０５において、第一のグループのＨＡＲＱ−ＡＣＫ変調シンボルを、開始位置の所在する周波数領域位置の異なるリソース要素に一つずつマッピングし、それから、第一のグループの開始位置の所在する周波数領域位置及び周波数領域オフセット値に基づいて、第二のグループ及び後の各グループに対応する周波数領域位置を確定することができ、図３Ｂを参照すると、周波数領域オフセット値が８であるため、後のグループの周波数領域位置がそれぞれ９、１７であることを確定することができ、残りのグループは、時間領域優先の方式で対応するグループの周波数領域位置の異なるリソース要素にマッピングされることができる。
【００８２】
本実施例では、時間領域優先の方式で、周波数領域において、ＨＡＲＱ−ＡＣＫ変調シンボルをできるだけ多くの直交周波数分割多重シンボルに均一に分布し、１つ又はいくつかの直交周波数分割多重シンボルへのＨＡＲＱ−ＡＣＫ変調シンボルの集中分布に起因するアップリンクデータ伝送性能の低下の問題を回避することが開示される。アップリンクデータの時間周波数リソースでのＨＡＲＱ−ＡＣＫ変調シンボルの多重化を時間領域優先の方式で実現する。
【００８３】
図４Ａが一つの例示的な実施例による他の物理層リソースマッピング方法のフローチャートであり、図４Ｂが一つの例示的な実施例による物理層リソースマッピングを示す図四であり、本実施例では、本開示の実施例による上記方法を用い、ユーザ装置がどのようにＨＡＲＱ−ＡＣＫ変調シンボルを物理層リソースにマッピングするかを例として例示的に説明し、図４Ａに示すように、以下のステップを含む。
【００８４】
ステップ４０１において、物理層リソースにマッピングされるＨＡＲＱ−ＡＣＫ変調シンボルの開始位置を確定し、且つＨＡＲＱ−ＡＣＫ変調シンボルに占有されるリソース要素の数Ｋと各直交周波数分割多重シンボルに含まれるリソース要素の数Ｍに基づいて周波数領域オフセット値を確定する。
【００８５】
一実施例では、物理層リソースにマッピングされるＨＡＲＱ−ＡＣＫ変調シンボルの開始位置を確定する方式については図１Ａに示す実施例のステップ１０１の説明を参照できるため、ここで詳細に説明しない。
【００８６】
一実施例では、式（３）に基づいて周波数領域オフセット値を確定することができる。
【００８７】
ｃｅｉｌＭ／Ｋ）        式（３）
式（３）で、Ｍが各直交周波数分割多重シンボルに含まれるリソース要素の数であり、ＫがＨＡＲＱ−ＡＣＫ変調シンボルに占有されたリソース要素の数である。
【００８８】
ステップ４０２において、開始位置の所在する周波数領域位置から、Ｑ個のＨＡＲＱ−ＡＣＫ変調シンボルを、時間領域優先の方式で周波数領域位置が同じである異なるリソース要素にマッピングしてから、周波数領域オフセット値に従ってオフセットした後に、次のＱ個のＨＡＲＱ−ＡＣＫ変調シンボルを異なるリソース要素にマッピングし続け、ＱがＫ及びＭに基づいて計算される。
【００８９】
一実施例では、式（４）に基づいてＱ値を確定することができる。
【００９０】
ｃｅｉｌＫ／Ｍ）        式（４）
式（４）で、Ｍが各直交周波数分割多重シンボルに含まれるリソース要素の数であり、ＫがＨＡＲＱ−ＡＣＫ変調シンボルに占有されたリソース要素の数である。
【００９１】
一実施例では、ステップ４０１〜ステップ４０２において、式（３）と式（４）に基づき、Ｋ＝２４、Ｍ＝２４、Ｎ＝１０と仮定し、図４Ｂを参照すると、周波数領域オフセット値がｃｅｉｌ（２４／２４）＝１であると計算してもよく、Ｑ値がｃｅｉｌ（２４／２４）＝１であり、即ち周波数領域オフセット値がが１であり、各周波数領域位置にｃｅｉｌ（２４／２４）＝１個のＨＡＲＱ−ＡＣＫ変調シンボルがマッピングされる。
【００９２】
本実施例では、時間領域優先の方式で、周波数領域において、ＨＡＲＱ−ＡＣＫ変調シンボルをできるだけ多くの直交周波数分割多重シンボルに均一に分布し、各直交周波数分割多重シンボルに含まれるリソース要素の数及びＨＡＲＱ−ＡＣＫ変調シンボルに占有されたリソース要素の数に基づき、周波数領域オフセット値と各周波数領域オフセット値に対応するＨＡＲＱ−ＡＣＫ変調シンボルのマッピング先のリソース要素の数を確定し、１つ又はいくつかの直交周波数分割多重シンボルへのＨＡＲＱ−ＡＣＫ変調シンボルの集中分布に起因するアップリンクデータ伝送性能の低下の問題を回避することが開示される。アップリンクデータの時間周波数リソースでのＨＡＲＱ−ＡＣＫ変調シンボルの多重化を時間領域優先の方式で実現する。
【００９３】
図５Ａが一つの例示的な実施例による他の物理層リソースマッピング方法のフローチャートであり、図５Ｂが一つの例示的な実施例による物理層リソースマッピングを示す図五であり、図５Ｃが一つの例示的な実施例による物理層リソースマッピングを示す図六であり、本実施例では、本開示の実施例による上記方法を用い、ユーザ装置がどのようにＨＡＲＱ−ＡＣＫ変調シンボルを物理層リソースにマッピングするかを例として例示的に説明し、図５Ａに示すように、以下のステップを含む。
【００９４】
ステップ５０１において、ＨＡＲＱ−ＡＣＫ変調シンボルに占有されるリソース要素の数Ｋが各直交周波数分割多重シンボルに含まれるリソース要素の数Ｍよりも大きいか否かを確定し、ＫがＭよりも大きい場合、ステップ５０６を実行し、ＫがＭ以下である場合、ステップ５０２を実行する。
【００９５】
ステップ５０２において、第一のアルゴリズムを用いて、先頭のＲ個のＨＡＲＱ−ＡＣＫ変調シンボルに対応する第一の周波数領域オフセット値を確定し、第二のアルゴリズムを用いて、先頭のＲ個のＨＡＲＱ−ＡＣＫ変調シンボル以外のＨＡＲＱ−ＡＣＫ変調シンボルに対応する第二の周波数領域オフセット値を確定する。
【００９６】
一実施例では、第一のアルゴリズムは式（３）によって第一の周波数領域オフセット値を確定し、周波数領域オフセットのたびにオフセットする必要があるリソース要素の数を計算することができ、Ｒの値が式（５）によって計算されてもよい。
【００９７】
ｍｏｄ（Ｍ，Ｋ）        式（５）
一実施例では、第二のアルゴリズムは式（６）によって第二の周波数領域オフセット値を計算することができる。
【００９８】
ｆｌｏｏｒ（Ｍ／Ｋ）        式（６）
ステップ５０３において、先頭のＲ個のＨＡＲＱ−ＡＣＫ変調シンボルを時間領域優先の方式で、開始位置から第一の周波数領域オフセット値に従って異なる周波数領域位置の異なるリソース要素に一つずつマッピングする。
【００９９】
ステップ５０４において、Ｒ番目のＨＡＲＱ−ＡＣＫ変調シンボルの所在する周波数領域位置及び第二の周波数領域オフセット値に基づき、Ｒ＋１番目のＨＡＲＱ−ＡＣＫ変調シンボルのマッピング先のリソース要素を確定する。
【０１００】
ステップ５０５において、先頭のＲ個のＨＡＲＱ−ＡＣＫ変調シンボル以外のＨＡＲＱ−ＡＣＫ変調シンボルを時間領域優先の方式で、Ｒ＋１番目のＨＡＲＱ−ＡＣＫ変調シンボルのマッピング先のリソース要素の位置から第二の周波数領域オフセット値に従って異なる周波数領域位置の異なるリソース要素に一つずつマッピングする。
【０１０１】
一実施例では、ステップ５０３〜ステップ５０５において、図５Ｂを参照すると、Ｋ＝９、Ｍ＝１２、Ｎ＝１０、開始位置が復調基準信号に隣接する右側のシンボルの最低周波数領域であると仮定すると、第一の周波数領域オフセット値がｃｅｉｌ（１２／９）＝２であり、第二の周波数領域オフセットがｆｌｏｏｒ（１２／９）＝１であり、Ｒ値がｍｏｄ（１２，９）＝３であり、即ち、先頭の３つのマッピングリソース要素の周波数領域オフセット値が２であり、後のリソース要素の周波数領域オフセットが１であることを確定することができる。
【０１０２】
ステップ５０６において、第四のアルゴリズムを用いて、ＨＡＲＱ−ＡＣＫ変調シンボルの先頭のＳ回のオフセットの中でＨＡＲＱ−ＡＣＫ変調シンボルがマッピングされる、各周波数領域位置におけるリソース要素に対応する第一のカウント数を確定し、第五のアルゴリズムを用いて、先頭のＳ回のオフセット以外のＨＡＲＱ−ＡＣＫ変調シンボルのオフセットの中でＨＡＲＱ−ＡＣＫ変調シンボルがマッピングされる、各周波数領域位置におけるリソース要素に対応する第二のカウント数を確定する。
【０１０３】
一実施例では、第四のアルゴリズムは式（４）によって第一のカウント数を確定することができ、第五のアルゴリズムは式（７）によって第二の周波数領域オフセット値を計算することができる。
【０１０４】
ｆｌｏｏｒ（Ｋ／Ｍ）        式（７）
一実施例では、Ｓの値が第六のアルゴリズムに基づいて計算され、第六のアルゴリズムは式（８）によってＳ値を計算することができる。
【０１０５】
ｍｏｄ（Ｋ，Ｍ）        式（８）
一実施例では、先頭のＳ回のオフセットに対応する周波数領域オフセット値が第一の設定値であり、先頭のＳ回のオフセット以外の周波数領域オフセットの周波数領域オフセット値が第二の設定値である。
【０１０６】
一実施例では、第一の設定値と第二の設定値は基地局によって予め設定された値、例えばいずれも１であってもよい。
【０１０７】
ステップ５０７において、先頭のＳ回の周波数領域オフセットにおいて、時間領域優先の方式で、開始位置の所在する周波数領域位置から、第一の設定値に従って周波数領域オフセットを行い、各周波数領域位置に第一のカウント数のＨＡＲＱ−ＡＣＫ変調シンボルを連続してマッピングする。
【０１０８】
ステップ５０８において、開始位置の所在する周波数領域位置、第一の設定値、第二の設定値に基づき、Ｓ＋１回目のオフセットに対応する開始位置を確定する。
【０１０９】
ステップ５０９において、先頭のＳ回のオフセットを実行した後に、時間領域優先の方式で、Ｓ＋１回目のオフセットに対応する開始位置の所在する周波数領域位置から、第一の設定値に従って周波数領域オフセットを行い、各周波数領域位置に第二のカウント数のＨＡＲＱ−ＡＣＫ変調シンボルを連続してマッピングする。
【０１１０】
一実施例では、ステップ５０７〜ステップ５０９において、図５Ｃを参照すると、Ｋ＝１６、Ｍ＝１２、Ｎ＝１０、第一の設定値と第二の設定値がいずれも１であり、開始位置が復調基準信号に隣接する右側のシンボルの最低周波数領域であると仮定すると、第一のカウント数がｃｅｉｌ（１６／１２）＝２であり、第二のカウント数がｆｌｏｏｒ（１６／１２）＝１であり、Ｓ値がｍｏｄ（１６，１２）＝４であり、即ち、先頭の４回のオフセットに対応する周波数領域オフセットにおいて、周波数領域位置ごとに２つのリソース要素がマッピングされ、周波数領域オフセット値が１であり、後の周波数領域位置ごとに１つのリソース要素がマッピングされ、周波数領域オフセット値が１であることを確定することができる。
【０１１１】
本実施例では、時間領域優先の方式で、周波数領域において、ＨＡＲＱ−ＡＣＫ変調シンボルをできるだけ多くの直交周波数分割多重シンボルに均一に分布し、各直交周波数分割多重シンボルに含まれるリソース要素の数及びＨＡＲＱ−ＡＣＫ変調シンボルに占有されたリソース要素の数に基づき、異なるマッピングアルゴリズムを用いて周波数領域オフセット値と各周波数領域オフセット値に対応するＨＡＲＱ−ＡＣＫ変調シンボルのマッピング先のリソース要素の数を確定し、リソースマッピング方式がさらに多様になることが開示される。
【０１１２】
一実施例では、上記図２Ａ−図５Ａにおいて、式（１）−式（８）などの異なるアルゴリズムによって周波数領域オフセット値などのマッピングパラメータを計算することを例として例示的に説明し、本開示では、他のアルゴリズムによって周波数領域オフセット値などのパラメータを取得することもでき、上記実施例に関するＨＡＲＱ−ＡＣＫ変調シンボルマッピング方法のうちの異なるマッピングスキームに対して、さらに式（１）−式（８）の順番を調整して対応するマッピング方法におけるマッピングパラメータを取得することができ、本開示では各マッピング方式を用いる時に使用される数式が制限されない。
【０１１３】
図６Ａが一つの例示的な実施例による他の物理層リソースマッピング方法のフローチャートであり、図６Ｂが一つの例示的な実施例による物理層リソースマッピングを示す図七であり、本実施例では、本開示の実施例による上記方法を用い、ユーザ装置がどのようにＨＡＲＱ−ＡＣＫ変調シンボルを物理層リソースにマッピングするかを例として例示的に説明し、図６Ａに示すように、以下のステップを含む。
【０１１４】
ステップ６０１において、チャネル状態情報（ｃｈａｎｎｅｌ  ｓｔａｔｅ  ｉｎｆｏｒｍａｔｉｏｎ：ＣＳＩと略称）、ＨＡＲＱ−ＡＣＫ情報及びアップリンクデータを多重化伝送する時に、ＣＳＩ変調シンボルのマッピング先のリソース要素を優先的に確定する。
【０１１５】
ステップ６０２において、ＣＳＩ変調シンボルのマッピング先のリソース要素以外のリソース要素を前記ＨＡＲＱ−ＡＣＫ変調シンボルのマッピング可能なリソース要素として確定し、又はＣＳＩ変調シンボルのマッピング先のリソース要素の所在する直交周波数分割多重シンボル以外のリソース要素をＨＡＲＱ−ＡＣＫ変調シンボルのマッピング可能なリソース要素として確定する。
【０１１６】
一実施例では、ＨＡＲＱ−ＡＣＫ変調シンボルのマッピング可能なリソース要素を確定した後、ＨＡＲＱ−ＡＣＫ変調シンボルのマッピング可能なリソース要素において開始位置と周波数領域オフセット値に基づいてＨＡＲＱ−ＡＣＫ変調シンボルのマッピング先のリソース要素を選択することができる。
【０１１７】
ステップ６０３において、開始位置及び周波数領域オフセット値に基づき、ＨＡＲＱ−ＡＣＫ変調シンボルをシンボルがマッピングできるリソース要素にマッピングする。
【０１１８】
一実施例では、図６Ｂを参照すると、ＣＳＩ変調シンボルを復調基準信号に隣接するシンボルにおいて、周波数リソース全体に均一に分布し、最後の直交周波数分割多重シンボルにおいて、周波数領域の末尾に連続的に分布するというマッピング方式が示され、ここでマッピングの例示的なものだけであり、ＣＳＩ変調シンボルのマッピング先のリソース要素を限定するものではなく、ＣＳＩ変調シンボルが具体的にマッピングされるリソース要素は、基地局によって合意されてもよく、ＣＳＩ変調シンボルのマッピング先のリソース要素の所在する直交周波数分割多重シンボル以外のリソース要素をＨＡＲＱ−ＡＣＫ変調シンボルのマッピング可能なリソース要素として確定し、ＨＡＲＱ−ＡＣＫ変調シンボルが時間領域優先の方式で物理層リソースにマッピングされることを実現する。
【０１１９】
一実施例では、図２Ａ−図５Ａに示すＨＡＲＱ−ＡＣＫ変調シンボルのマッピング方法を用いてＨＡＲＱ−ＡＣＫ変調シンボルのマッピング先のリソース要素を確定することができる。
【０１２０】
本実施例では、ＣＳＩ、ＨＡＲＱ−ＡＣＫ情報とアップリンクデータの三者を多重化伝送する時に、ＣＳＩ変調シンボルとＨＡＲＱ−ＡＣＫ変調シンボルを物理層リソースにマッピングする実現方式が開示され、ユーザ装置が、ＣＳＩ変調シンボルのマッピング先のリソース要素を占有ことなく、周波数領域において、ＨＡＲＱ−ＡＣＫ変調シンボルをできるだけ多くの直交周波数分割多重シンボルに均一に分布させることに役立つ。
【０１２１】
図７Ａが一つの例示的な実施例による他の物理層リソースマッピング方法のフローチャートであり、図７Ｂが一つの例示的な実施例による物理層リソースマッピングを示す図八であり、本実施例では、本開示の実施例による上記方法を用い、ユーザ装置がどのようにＨＡＲＱ−ＡＣＫ変調シンボルを物理層リソースにマッピングするかを例として例示的に説明し、図７Ａに示すように、以下のステップを含む。
【０１２２】
ステップ７０１において、ＣＳＩ情報、ＨＡＲＱ−ＡＣＫ情報とアップリンクデータを多重化伝送する時に、物理層リソースにマッピングされるＨＡＲＱ−ＡＣＫ変調シンボルの開始位置及び周波数領域オフセット値を確定する。
【０１２３】
ステップ７０２において、開始位置及び周波数領域オフセット値に基づき、各ＨＡＲＱ−ＡＣＫ変調シンボルを対応するリソース要素にマッピングする。
【０１２４】
一実施例では、ステップ７０１とステップ７０２の説明については図１Ａに示す実施例の説明方法を参照できるため、ここで詳細に説明しない。
【０１２５】
ステップ７０３において、ＨＡＲＱ−ＡＣＫ変調シンボルのマッピング先のリソース要素以外のリソース要素をＣＳＩ変調シンボルのマッピング可能なリソース要素として確定する。
【０１２６】
ステップ７０４において、ＣＳＩ変調シンボルを予め設定されたマッピングルールに従ってＣＳＩ変調シンボルのマッピング可能なリソース要素にマッピングする。
【０１２７】
一実施例では、予め設定されたマッピングルールがＣＳＩ変調シンボルのマッピングルールとして理解されてもよく、ＣＳＩ情報が２つの部分の情報を含むことができ、この２つの部分の情報がそれぞれ異なる方式で異なるリソース要素にマッピングされてもよく、予め設定されたマッピングルールが基地局によって定められてもよい。
【０１２８】
本実施例では、ＣＳＩ、ＨＡＲＱ−ＡＣＫ情報とアップリンクデータの三者を多重化伝送する時に、ＣＳＩ変調シンボルとＨＡＲＱ−ＡＣＫ変調シンボルを物理層リソースにマッピングする実現方式が開示され、ユーザ装置がＣＳＩ変調シンボルとＨＡＲＱ−ＡＣＫ変調シンボルを周波数領域でできるだけ多くの直交周波数分割多重シンボルに均一に分布させることに役立つ。
【０１２９】
図８が一つの例示的な実施例による物理層リソースマッピング方法のフローチャートであり、該物理層リソースマッピング方法が基地局に適用されてもよく、図８に示すように、該物理層マッピング方法は以下のステップ８０１〜８０３を含む。
【０１３０】
ステップ８０１において、ユーザ装置から送信された、ＨＡＲＱ−ＡＣＫ変調シンボル及びデータ変調シンボルを含む符号化データを受信する。
【０１３１】
ステップ８０２において、物理層リソースにマッピングされるＨＡＲＱ−ＡＣＫ変調シンボルの開始位置及び周波数領域オフセット値に基づき、ＨＡＲＱ−ＡＣＫ変調シンボルを含むリソース要素及びデータ変調シンボルを含むリソース要素を確定し、周波数領域オフセット値が、異なるＨＡＲＱ−ＡＣＫ変調シンボルのマッピング先のリソース要素の周波数領域オフセットである。
【０１３２】
一実施例では、物理層リソースにマッピングされるＨＡＲＱ−ＡＣＫ変調シンボルの開始位置は、アップリンクデータの復調基準信号に隣接する直交周波数分割多重シンボルの最低周波数領域位置であり、又は、アップリンクデータの復調基準信号以外の１番目の直交周波数分割多重シンボルの最低周波数領域位置である。
【０１３３】
一実施例では、物理層リソースにマッピングされるＨＡＲＱ−ＡＣＫ変調シンボルの周波数領域オフセット値は、ＨＡＲＱ−ＡＣＫ変調シンボルに占有されるリソース要素の数Ｋ、及び各直交周波数分割多重シンボルに含まれるリソース要素の数Ｍに基づいて得られる。
【０１３４】
一実施例では、物理層リソースにマッピングされるＨＡＲＱ−ＡＣＫ変調シンボルの周波数領域オフセット値は、ＨＡＲＱ−ＡＣＫ変調シンボルのマッピング可能な直交周波数分割多重シンボルの数Ｎ、ＨＡＲＱ−ＡＣＫ変調シンボルに占有されるリソース要素の数Ｋ、及び各直交周波数分割多重シンボルに含まれるリソース要素の数Ｍに基づいて得られる。
【０１３５】
一実施例では、基地局は、どの開始位置及び周波数領域オフセット値の計算方式を使用するかについてユーザ装置と予め合意することができ、これにより、基地局は、ＨＡＲＱ−ＡＣＫ変調シンボル及びデータ変調シンボルを含む符号化データを受信する時に、対応する開始位置及び周波数領域オフセット値の計算方式に基づき、ＨＡＲＱ−ＡＣＫ変調シンボルが具体的にどのリソース要素にマッピングされるかを確定することができる。
【０１３６】
一実施例では、周波数領域オフセット値の計算方式については図２Ａ−図５Ａに示す実施例の説明を参照できるため、ここで詳細に説明しない。
【０１３７】
ステップ８０３において、ＨＡＲＱ−ＡＣＫ変調シンボルを含むリソース要素及びデータ変調シンボルを含むリソース要素に基づき、ＨＡＲＱ−ＡＣＫ情報とアップリンクデータを取得する。
【０１３８】
本実施例では、基地局はユーザ装置から送信された符号化データを受信する場合、ＨＡＲＱ−ＡＣＫ変調シンボルのマッピング方式に基づいてＨＡＲＱ−ＡＣＫ変調シンボルのリソース要素とデータ変調シンボルを含むリソース要素を確定することができ、さらに正確な復号を実現することができ、これにより、データの正確な受信が保証される。
【０１３９】
図９が一つの例示的な実施例による物理層リソースマッピング装置のブロック図であり、該物理層リソースマッピング装置がユーザ装置に適用され、図９に示すように、物理層リソースマッピング装置は、
ＨＡＲＱ−ＡＣＫ情報とアップリンクデータを多重化伝送する時に、物理層リソースにマッピングされるＨＡＲＱ−ＡＣＫ変調シンボルの開始位置及び周波数領域オフセット値を確定するように構成され、周波数領域オフセット値が、異なるＨＡＲＱ−ＡＣＫ変調シンボルのマッピング先のリソース要素の周波数領域オフセットである第一の確定モジュール９１と、
第一の確定モジュール９１によって確定された開始位置及び周波数領域オフセット値に基づき、各ＨＡＲＱ−ＡＣＫ変調シンボルを対応するリソース要素にマッピングするように構成される第一のマッピングモジュール９２とを備える。
【０１４０】
図１０は一つの例示的な実施例による他の物理層リソースマッピング装置のブロック図である。図１１に示すように、上記図９に示す実施例に基づき、一実施例において、第一の確定モジュール９１は、
アップリンクデータの復調基準信号に隣接する直交周波数分割多重シンボルの最低周波数領域位置を開始位置として確定するように構成される第一の確定サブモジュール９１１、又は、
アップリンクデータの復調基準信号以外の１番目の直交周波数分割多重シンボルの最低周波数領域位置を開始位置として確定するように構成される第二の確定サブモジュール９１２を含む。
【０１４１】
一実施例では、第一の確定モジュール９１は、
ＨＡＲＱ−ＡＣＫ変調シンボルのマッピング可能な直交周波数分割多重シンボルの数Ｎ、ＨＡＲＱ−ＡＣＫ変調シンボルに占有されるリソース要素の数Ｋ、及び各直交周波数分割多重シンボルに含まれるリソース要素の数Ｍに基づき、周波数領域オフセット値を確定するように構成される第三の確定サブモジュール９１３を含む。
【０１４２】
一実施例では、第一のマッピングモジュール９２は、
１番目のＨＡＲＱ−ＡＣＫ変調シンボルを開始位置の所在するリソース要素にマッピングするように構成される第一のマッピングサブモジュール９２１と、
残りのＨＡＲＱ−ＡＣＫ変調シンボルを周波数領域優先の方式で周波数領域オフセット値に従って異なるリソース要素に一つずつマッピングし、周波数領域オフセットが一つの直交周波数分割多重シンボルの周波数領域範囲を超えた場合、次の直交周波数分割多重シンボルのリソース要素に順番でマッピングするように構成される第二のマッピングサブモジュール９２２とを含む。
【０１４３】
一実施例では、第一のマッピングモジュール９２は、
ＨＡＲＱ−ＡＣＫ変調シンボルをＰ個のシンボルグループに分割するように構成され、各シンボルグループに最大Ｎ個のＨＡＲＱ−ＡＣＫ変調シンボルが含まれる分割サブモジュール９２３と、
第一のグループのＨＡＲＱ−ＡＣＫ変調シンボルを、開始位置の所在する周波数領域位置の異なるリソース要素に一つずつマッピングするように構成される第三のマッピングサブモジュール９２４と、
開始位置の所在する周波数領域位置及び周波数領域オフセット値に基づき、残りのグループのＨＡＲＱ−ＡＣＫ変調シンボルのうちの各グループのＨＡＲＱ−ＡＣＫ変調シンボルのマッピングする周波数領域位置を確定するように構成される第四の確定サブモジュール９２５と、
残りのグループのＨＡＲＱ−ＡＣＫ変調シンボルを、時間領域優先の方式で、対応するグループの周波数領域位置の異なるリソース要素にマッピングするように構成される第四のマッピングサブモジュール９２６とを含む。
【０１４４】
一実施例において、装置はさらに、
チャネル状態情報（ＣＳＩ）、ＨＡＲＱ−ＡＣＫ情報及びアップリンクデータを多重化伝送する時に、ＣＳＩ変調シンボルのマッピング先のリソース要素を優先的に確定するように構成される第二の確定モジュール９３と、
ＣＳＩ変調シンボルのマッピング先のリソース要素以外のリソース要素を前記ＨＡＲＱ−ＡＣＫ変調シンボルのマッピング可能なリソース要素として確定し、又はＣＳＩ変調シンボルのマッピング先のリソース要素の所在する直交周波数分割多重シンボル以外のリソース要素をＨＡＲＱ−ＡＣＫ変調シンボルのマッピング可能なリソース要素として確定するように構成される第三の確定モジュール９４とを備え、
第一のマッピングモジュール９２は、
開始位置及び周波数領域オフセット値に基づき、ＨＡＲＱ−ＡＣＫ変調シンボルをシンボルがマッピングできるリソース要素にマッピングするように構成される第十のマッピングサブモジュール９３４を含む。
【０１４５】
一実施例において、装置はさらに、
ＨＡＲＱ−ＡＣＫ変調シンボルのマッピング先のリソース要素以外のリソース要素をＣＳＩ変調シンボルのマッピング可能なリソース要素として確定するように構成される第四の確定モジュール９５と、
ＣＳＩ変調シンボルを予め設定されたマッピングルールに従ってＣＳＩ変調シンボルのマッピング可能なリソース要素にマッピングするように構成される第二のマッピングモジュール９６とを備える。
【０１４６】
図１１は一つの例示的な実施例による他の物理層リソースマッピング装置のブロック図である。図１１に示すように、上記図９又は図１０に示す実施例に基づき、一実施例において、第一の確定モジュール９１は、
ＨＡＲＱ−ＡＣＫ変調シンボルに占有されるリソース要素の数Ｋ及び各直交周波数分割多重シンボルに含まれるリソース要素の数Ｍに基づき、周波数領域オフセット値を確定するように構成される第五の確定サブモジュール９１４を含む。
【０１４７】
一実施例では、第一のマッピングモジュール９２は、
開始位置の所在する周波数領域位置から、Ｑ個のＨＡＲＱ−ＡＣＫ変調シンボルを、時間領域優先の方式で周波数領域位置が同じである異なるリソース要素にマッピングしてから、周波数領域オフセット値に従ってオフセットした後に、次のＱ個のＨＡＲＱ−ＡＣＫ変調シンボルを異なるリソース要素にマッピングし続けるように構成され、ＱがＫ及びＭに基づいて計算される第五のマッピングサブモジュール９２７を含む。
【０１４８】
一実施例では、第一の確定モジュール９１は、
ＫがＭ以下である場合、第一のアルゴリズムを用いて、先頭のＲ個のＨＡＲＱ−ＡＣＫ変調シンボルに対応する第一の周波数領域オフセット値を確定し、第二のアルゴリズムを用いて、先頭のＲ個のＨＡＲＱ−ＡＣＫ変調シンボル以外のＨＡＲＱ−ＡＣＫ変調シンボルに対応する第二の周波数領域オフセット値を確定するように構成され、Ｒの値が第三のアルゴリズムに基づいて計算され、ＫがＨＡＲＱ−ＡＣＫ変調シンボルに占有されるリソース要素の数Ｋであり、Ｍが各直交周波数分割多重シンボルに含まれるリソース要素の数である第六の確定サブモジュール９１５と、
ＫがＭより大きい場合、第四のアルゴリズムを用いて、ＨＡＲＱ−ＡＣＫ変調シンボルの先頭のＳ回のオフセットの中でＨＡＲＱ−ＡＣＫ変調シンボルがマッピングされる、各周波数領域位置におけるリソース要素に対応する第一のカウント数を確定し、第五のアルゴリズムを用いて、先頭のＳ回のオフセット以外のＨＡＲＱ−ＡＣＫ変調シンボルのオフセットの中でＨＡＲＱ−ＡＣＫ変調シンボルがマッピングされる、各周波数領域位置におけるリソース要素に対応する第二のカウント数を確定するように構成され、Ｓの値が第六のアルゴリズムに基づいて得られ、ここで、先頭のＳ回のオフセットに対応する周波数領域オフセット値が第一の設定値であり、先頭のＳ回のオフセット以外の周波数領域オフセットの周波数領域オフセット値が第二の設定値である第七の確定サブモジュール９１６とを含む。
【０１４９】
一実施例では、第一のマッピングモジュール９２は、
ＫがＭ以下である場合、先頭のＲ個のＨＡＲＱ−ＡＣＫ変調シンボルを時間領域優先の方式で、開始位置から第一の周波数領域オフセット値に従って異なる周波数領域位置の異なるリソース要素に一つずつマッピングするように構成される第六のマッピングサブモジュール９２８と、
Ｒ番目のＨＡＲＱ−ＡＣＫ変調シンボルの所在する周波数領域位置及び第二の周波数領域オフセット値に基づき、Ｒ＋１番目のＨＡＲＱ−ＡＣＫ変調シンボルのマッピング先のリソース要素を確定するように構成される第八の確定サブモジュール９２９と、
先頭のＲ個のＨＡＲＱ−ＡＣＫ変調シンボル以外のＨＡＲＱ−ＡＣＫ変調シンボルを時間領域優先の方式で、Ｒ＋１番目のＨＡＲＱ−ＡＣＫ変調シンボルのマッピング先のリソース要素の位置から第二の周波数領域オフセット値に従って異なる周波数領域位置の異なるリソース要素に一つずつマッピングするように構成される第七のマッピングサブモジュール９３０とを含む。
【０１５０】
一実施例では、第一のマッピングモジュール９２は、
ＫがＭよりも大きい場合、先頭のＳ回の周波数領域オフセットにおいて、時間領域優先の方式で、開始位置の所在する周波数領域位置から、第一の設定値に従って周波数領域オフセットを行い、各周波数領域位置に第一のカウント数のＨＡＲＱ−ＡＣＫ変調シンボルを連続してマッピングするように構成される第八のマッピングサブモジュール９３１と、
開始位置の所在する周波数領域位置、第一の設定値、第二の設定値に基づき、Ｓ＋１回目のオフセットに対応する開始位置を確定するように構成される第九の確定サブモジュール９３２と、
先頭のＳ回のオフセットを実行した後に、時間領域優先の方式で、Ｓ＋１回目のオフセットに対応する開始位置の所在する周波数領域位置から、第一の設定値に従って周波数領域オフセットを行い、各周波数領域位置に第二のカウント数のＨＡＲＱ−ＡＣＫ変調シンボルを連続してマッピングするように構成される第九のマッピングサブモジュールと９３３を含む。
【０１５１】
図１２が一つの例示的な実施例による物理層リソースマッピング装置のブロック図であり、該物理層リソースマッピング装置がユーザ装置に適用され、図１２に示すように、物理層リソースマッピング装置１２は、
ユーザ装置から送信された、ＨＡＲＱ−ＡＣＫ変調シンボル及びデータ変調シンボルを含む符号化データを受信するように構成される受信モジュール１２１と、
物理層リソースにマッピングされるＨＡＲＱ−ＡＣＫ変調シンボルの開始位置及び周波数領域オフセット値に基づき、ＨＡＲＱ−ＡＣＫ変調シンボルを含むリソース要素及びデータ変調シンボルを含むリソース要素を確定するように構成され、周波数領域オフセット値が、異なるＨＡＲＱ−ＡＣＫ変調シンボルのマッピング先のリソース要素の周波数領域オフセットである第五の確定モジュール１２２と、
ＨＡＲＱ−ＡＣＫ変調シンボルを含むリソース要素及びデータ変調シンボルを含むリソース要素に基づき、ＨＡＲＱ−ＡＣＫ情報とアップリンクデータを取得するように構成されるデータ取得モジュール１２３とを備える。
【０１５２】
一実施例では、物理層リソースにマッピングされるＨＡＲＱ−ＡＣＫ変調シンボルの開始位置は、アップリンクデータの復調基準信号に隣接する直交周波数分割多重シンボルの最低周波数領域位置であり、又は、アップリンクデータの復調基準信号以外の１番目の直交周波数分割多重シンボルの最低周波数領域位置である。
【０１５３】
一実施例では、物理層リソースにマッピングされるＨＡＲＱ−ＡＣＫ変調シンボルの周波数領域オフセット値は、ＨＡＲＱ−ＡＣＫ変調シンボルに占有されるリソース要素の数Ｋ、及び各直交周波数分割多重シンボルに含まれるリソース要素の数Ｍに基づいて得られる。
【０１５４】
一実施例では、物理層リソースにマッピングされるＨＡＲＱ−ＡＣＫ変調シンボルの周波数領域オフセット値は、ＨＡＲＱ−ＡＣＫ変調シンボルのマッピング可能な直交周波数分割多重シンボルの数Ｎ、ＨＡＲＱ−ＡＣＫ変調シンボルに占有されるリソース要素の数Ｋ、及び各直交周波数分割多重シンボルに含まれるリソース要素の数Ｍに基づいて得られる。
【０１５５】
上記実施例における装置について、そのうちの各モジュールが操作を実行する具体的な方式はすでに該方法に関する実施例において詳細に説明されたため、ここで詳細な説明を省略する。
【０１５６】
図１３は一つの例示的な実施例による物理層リソースマッピング装置に適用するブロック図である。例えば、装置１３００は、携帯電話、コンピュータ、デジタル放送端末、メッセージ送受信機、ゲーム機、タブレットデバイス、医療機器、フィットネス機器、パーソナルデジタルアシスタント等のユーザ装置であってもよく、装置１３００は受信側であってもよいし、送信側であってもよい。
【０１５７】
図１３を参照すると、装置１３００は処理コンポーネント１３０２、メモリ１３０４、電源コンポーネント１３０６、マルチメディアコンポーネント１３０８、オーディオコンポーネント１３１０、入力／出力（Ｉ／Ｏ）インタフェース１３１２、センサーコンポーネント１３１４、及び通信コンポーネント１３１６のうちの一つ又は複数を備えることができる。
【０１５８】
処理コンポーネント１３０２は一般的に装置１３００の全体的な動作、例えば表示、電話コール、データ通信、カメラ動作及び記録動作と関連する動作を制御する。処理コンポーネント１３０２は一つ又は複数のプロセッサ１３２０を含んで命令を実行して、上記方法の全て又は一部のステップを完了することができる。また、処理コンポーネント１３０２は一つ又は複数のモジュールを含んで他のコンポーネントとのインタラクションを容易にすることができる。例えば、処理コンポーネント１３０２は、一つ又は複数のモジュールを含んでマルチメディアコンポーネント１３０８と処理コンポーネント１３０２とのインタラクションを容易にすることができる。
【０１５９】
メモリ１３０４は様々なタイプのデータを記憶して装置１３００での動作をサポートするように構成される。これらのデータの例は装置１３００で動作するいずれかのアプリケーションプログラム又は方法のための命令、連絡先データ、電話帳データ、メッセージ、イメージ、ビデオなどを含む。メモリ１３０４は、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクなどの任意のタイプの揮発性又は不揮発性記憶装置又はそれらの組み合わせにより実現されてもよい。
【０１６０】
電源コンポーネント１３０６は装置１３００の様々なコンポーネントに電力を供給する。電源コンポーネント１３０６は電源管理システム、一つ又は複数の電源、及び装置１３００に電力を生成、管理及び割り当てることに関連する他のコンポーネントを含むことができる。
【０１６１】
マルチメディアコンポーネント１３０８は装置１３００とユーザの間の一つの出力インタフェースを提供するスクリーンを含む。いくつかの実施例において、スクリーンは液晶ディスプレイ（ＬＣＤ）とタッチパネル（ＴＰ）を含むことができる。スクリーンがタッチパネルを含む場合、スクリーンはタッチスクリーンとして実現されて、ユーザからの入力信号を受信することができる。タッチパネルは一つ又は複数のタッチセンサーを含んでタッチ、スライドとタッチパネル上のジェスチャをセンシングする。タッチセンサーはタッチ又はスライド動作の境界をセンシングするだけでなく、タッチ又はスライド動作に関連する持続時間及び圧力を検出することができる。いくつかの実施例において、マルチメディアコンポーネント１３０８は一つのフロントカメラ及び／又はリアカメラを含む。装置１３００が動作モード、例えば撮影モード又はビデオモードにある場合、フロントカメラ及び／又はリアカメラは外部のマルチメディアデータを受信することができる。各フロントカメラ及び／又はリアカメラは一つの固定された光学レンズシステムであってもよく又は焦点距離及び光学ズーム能力を有する。
【０１６２】
オーディオコンポーネント１３１２はオーディオ信号を出力及び／又は入力するように構成される。例えば、オーディオコンポーネント１３１２は一つのマイクロホン（ＭＩＣ）を含み、装置１３００が動作モード、例えばコールモード、記録モードと音声識別モードにある場合、マイクロホンは外部の音声信号を受信するように構成される。受信されたオーディオ信号はさらにメモリ１３０４に記憶され又は通信コンポーネント１３１６を介して送信されることができる。いくつかの実施例において、オーディオコンポーネント１３１２はさらにオーディオ信号を出力するための一つのスピーカを含む。
【０１６３】
Ｉ／Ｏインターフェイス１３１２は処理コンポーネント１３０２と周辺インタフェースモジュールの間にインタフェースを提供し、上記周辺インタフェースモジュールがキーボード、クリックホイール、ボタンなどであってもよい。これらのボタンはホームページボタン、音量ボタン、スタートボタンとロックボタンを含むことができるがこれらに限定されない。
【０１６４】
センサーコンポーネント１３１４は装置１３００に様々な態様の状態評価を提供するための一つ又は複数のセンサーを含む。例えば、センサーコンポーネント１３１４は装置１３００のオン／オフ状態、コンポーネントの相対位置を検出することができ、例えばコンポーネントが装置１３００のディスプレイ及びキーパッドであり、センサーコンポーネント１３１４はさらに装置１３００又は装置１３００の一つのコンポーネントの位置変化、ユーザと装置１３００との接触の有無、装置１３００の方位又は加速／減速と装置１３００の温度変化を検出することができる。センサーコンポーネント１３１４はいかなる物理的接触がない時に付近の物体の存在を検出するための近接センサーを含むことができる。センサーコンポーネント１３１４はさらにイメージングアプリケーションに使用されるＣＭＯＳ又はＣＣＤイメージセンサーのような光センサーを含むことができる。いくつかの実施例において、該センサーコンポーネント１３１４はさらに加速度センサー、ジャイロセンサー、磁気センサー、圧力センサー又は温度センサーを含むことができる。
【０１６５】
通信コンポーネント１３１６は装置１３００と他の装置の間の有線又は無線方式の通信を容易にするように構成される。装置１３００は通信規格に基づく無線ネットワーク、例えばＷｉＦｉ、２Ｇ又は３Ｇ又はこれらの組み合わせにアクセスすることができる。一つの例示的な実施例では、通信部材１３１６は放送チャネルを介して外部の放送管理システムからの放送信号又は放送関連情報を受信する。一例示的実施例では、通信コンポーネント１３１６はさらに近距離通信（ＮＦＣ）モジュールを含んで短距離通信を促進する。例えば、ＮＦＣモジュールは無線周波数識別（ＲＦＩＤ）技術、赤外線通信協会（ＩｒＤＡ）技術、超広帯域（ＵＷＢ）技術、ブルートゥース（登録商標）（ＢＴ）技術及び他の技術に基づいて実現されてもよい。
【０１６６】
例示的な実施例では、装置１３００は第一の態様に記載される方法を実行するために、一つ又は複数の特定用途向け集積回路（ＡＳＩＣ）、デジタル信号プロセッサ（ＤＳＰ）、デジタル信号処理装置（ＤＳＰＤ）、プログラマブル論理デバイス（ＰＬＤ）、フィールドプログラマブルゲートアレイ（ＦＰＧＡ）、コントローラ、マイクロコントローラ、マイクロプロセッサ又は他の電子素子により実現されてもよい。
【０１６７】
例示的な実施例では、命令を含む非一時的コンピュータ読み取り可能記憶媒体、例えば命令を含むメモリ１３０４が提供され、上記命令が実行される時に、装置１３００のプロセッサ１３２０が上記第一の態様で説明される方法を実行するように構成されてもよい。
【０１６８】
図１４は一つの例示的な実施例による物理層リソースマッピング装置に適用するブロック図である。装置１４００は基地局として提供されてもよい。図１４を参照すると、装置１４００は処理コンポーネント１４２２、無線送信／受信コンポーネント１４２４、アンテナコンポーネント１４２６、及び無線インタフェース固有の信号処理部を含み、処理コンポーネント１４２２がさらに一つ又は複数のプロセッサを含むことができる。
【０１６９】
処理コンポーネント１４２２のうちの一つのプロセッサは、上記第二の態様で説明される方法を実行するように構成されてもよい。
【０１７０】
例示的な実施例では、基地局には、コンピュータ命令を記憶しており、命令がプロセッサによって実行される時に上記第一の態様で説明される方法を実現する、命令を含む非一時的コンピュータ可読記憶媒体も提供される。
【０１７１】
当業者は明細書を考慮及びここで開示された開示を実践した後、本開示の他の実施手段を容易に想到する。本出願は本開示のいかなる変形、用途又は適応変更を含むことを意図しており、これらの変形、用途又は適応変更が本開示の一般的な原理に従い且つ本開示に開示されていない本技術分野における公知常識又は一般的な技術的手段を含む。本明細書及び実施例は例示的なものとして見なされるだけであり、本発明の真の範囲と精神は以下の特許請求の範囲によって示される。
【０１７２】
理解すべきものとして、本開示は以上に説明され且つ添付図面に示された正確な構造に限定されず、且つその範囲から逸脱することなく様々な修正及び変更を行うことができる。
【図１Ａ】
2021503236.tif 000004
【図１Ｂ】
2021503236.tif 000005
【図１Ｃ】
2021503236.tif 000006
【図２Ａ】
2021503236.tif 000007
【図２Ｂ】
2021503236.tif 000008
【図３Ａ】
2021503236.tif 000009
【図３Ｂ】
2021503236.tif 000010
【図４Ａ】
2021503236.tif 000011
【図４Ｂ】
2021503236.tif 000012
【図５Ａ】
2021503236.tif 000013
【図５Ｂ】
2021503236.tif 000014
【図５Ｃ】
2021503236.tif 000015
【図６Ａ】
2021503236.tif 000016
【図６Ｂ】
2021503236.tif 000017
【図７Ａ】
2021503236.tif 000018
【図７Ｂ】
2021503236.tif 000019
【図８】
2021503236.tif 000020
【図９】
2021503236.tif 000021
【図１０】
2021503236.tif 000022
【図１１】
2021503236.tif 000023
【図１２】
2021503236.tif 000024
【図１３】
2021503236.tif 000025
【図１４】
2021503236.tif 000026
【手続補正書】
【提出日】令和2年5月21日(2020.5.21)
【手続補正１】
【補正対象書類名】特許請求の範囲
【補正対象項目名】全文
【補正方法】変更
【補正の内容】
【特許請求の範囲】
【請求項１】
物理層リソースマッピング方法であって、ユーザ装置に適用され、前記方法は、
混合自動再送リクエスト応答（ＨＡＲＱ−ＡＣＫ）情報とアップリンクデータを多重化伝送する時に、物理層リソースにマッピングされるＨＡＲＱ−ＡＣＫ変調シンボルの開始位置及び周波数領域オフセット値を確定し、前記周波数領域オフセット値が、異なるＨＡＲＱ−ＡＣＫ変調シンボルのマッピング先のリソース要素の周波数領域オフセットであることと、
前記開始位置及び前記周波数領域オフセット値に基づき、各ＨＡＲＱ−ＡＣＫ変調シンボルを対応するリソース要素にマッピングすることとを含む、前記物理層リソースマッピング方法。
【請求項２】
物理層リソースにマッピングされるＨＡＲＱ−ＡＣＫ変調シンボルの開始位置を確定することは、
アップリンクデータの復調基準信号に隣接する直交周波数分割多重シンボルの最低周波数領域位置を前記開始位置として確定すること、又は、
アップリンクデータの復調基準信号以外の１番目の直交周波数分割多重シンボルの最低周波数領域位置を前記開始位置として確定することを含むことを特徴とする
請求項１に記載の方法。
【請求項３】
物理層リソースにマッピングされるＨＡＲＱ−ＡＣＫ変調シンボルの周波数領域オフセット値を確定することは、
ＨＡＲＱ−ＡＣＫ変調シンボルのマッピング可能な直交周波数分割多重シンボルの数Ｎ、ＨＡＲＱ−ＡＣＫ変調シンボルに占有されるリソース要素の数Ｋ、及び各直交周波数分割多重シンボルに含まれるリソース要素の数Ｍに基づき、前記周波数領域オフセット値を確定することを含むことを特徴とする
請求項１に記載の方法。
【請求項４】
前記開始位置及び前記周波数領域オフセット値に基づき、各ＨＡＲＱ−ＡＣＫ変調シンボルを対応するリソース要素にマッピングすることは、
１番目のＨＡＲＱ−ＡＣＫ変調シンボルを前記開始位置の所在するリソース要素にマッピングすることと、
残りのＨＡＲＱ−ＡＣＫ変調シンボルを、周波数領域優先の方式で、前記周波数領域オフセット値に従って、異なるリソース要素に一つずつマッピングし、周波数領域オフセットが一つの直交周波数分割多重シンボルの周波数領域範囲を超えた場合、次の直交周波数分割多重シンボルのリソース要素に順番でマッピングすることとを含むことを特徴とする
請求項３に記載の方法。
【請求項５】
前記開始位置及び前記周波数領域オフセット値に基づき、各ＨＡＲＱ−ＡＣＫ変調シンボルを対応するリソース要素にマッピングすることは、
ＨＡＲＱ−ＡＣＫ変調シンボルをＰ個のシンボルグループに分割し、各シンボルグループに最大Ｎ個のＨＡＲＱ−ＡＣＫ変調シンボルが含まれることと、
第一のグループのＨＡＲＱ−ＡＣＫ変調シンボルを、前記開始位置の所在する周波数領域位置の異なるリソース要素に、一つずつマッピングすることと、
前記開始位置の所在する周波数領域位置及び周波数領域オフセット値に基づき、残りのグループのＨＡＲＱ−ＡＣＫ変調シンボルのうちの各グループのＨＡＲＱ−ＡＣＫ変調シンボルのマッピングする周波数領域位置を確定することと、
前記残りのグループのＨＡＲＱ−ＡＣＫ変調シンボルを、時間領域優先の方式で、対応するグループの周波数領域位置の異なるリソース要素にマッピングすることとを含むことを特徴とする
請求項３に記載の方法。
【請求項６】
物理層リソースにマッピングされるＨＡＲＱ−ＡＣＫ変調シンボルの周波数領域オフセット値を確定することは、
ＨＡＲＱ−ＡＣＫ変調シンボルに占有されるリソース要素の数Ｋ及び各直交周波数分割多重シンボルに含まれるリソース要素の数Ｍに基づき、前記周波数領域オフセット値を確定することを含むことを特徴とする
請求項１に記載の方法。
【請求項７】
前記開始位置及び前記周波数領域オフセット値に基づき、各ＨＡＲＱ−ＡＣＫ変調シンボルを対応するリソース要素にマッピングすることは、
前記開始位置の所在する周波数領域位置から、Ｑ個のＨＡＲＱ−ＡＣＫ変調シンボルを、時間領域優先の方式で周波数領域位置が同じである異なるリソース要素にマッピングしてから、前記周波数領域オフセット値に従ってオフセットした後に、次のＱ個のＨＡＲＱ−ＡＣＫ変調シンボルを異なるリソース要素にマッピングし続け、前記Ｑが前記Ｋ及び前記Ｍに基づいて計算されることを含むことを特徴とする
請求項６に記載の方法。
【請求項８】
物理層リソースにマッピングされるＨＡＲＱ−ＡＣＫ変調シンボルの周波数領域オフセット値を確定することは、
ＫがＭ以下である場合、第一のアルゴリズムを用いて、先頭のＲ個のＨＡＲＱ−ＡＣＫ変調シンボルに対応する第一の周波数領域オフセット値を確定し、第二のアルゴリズムを用いて、先頭のＲ個のＨＡＲＱ−ＡＣＫ変調シンボル以外のＨＡＲＱ−ＡＣＫ変調シンボルに対応する第二の周波数領域オフセット値を確定し、前記Ｒの値が第三のアルゴリズムに基づいて計算され、前記ＫがＨＡＲＱ−ＡＣＫ変調シンボルに占有されるリソース要素の数Ｋであり、Ｍが各直交周波数分割多重シンボルに含まれるリソース要素の数であることと、
ＫがＭより大きい場合、第四のアルゴリズムを用いて、ＨＡＲＱ−ＡＣＫ変調シンボルの先頭のＳ回のオフセットの中でＨＡＲＱ−ＡＣＫ変調シンボルがマッピングされる、各周波数領域位置におけるリソース要素に対応する第一のカウント数を確定し、第五のアルゴリズムを用いて、先頭のＳ回のオフセット以外のＨＡＲＱ−ＡＣＫ変調シンボルのオフセットの中でＨＡＲＱ−ＡＣＫ変調シンボルがマッピングされる、各周波数領域位置におけるリソース要素に対応する第二のカウント数を確定し、前記Ｓの値が第六のアルゴリズムに基づいて計算され、ここで、先頭のＳ回のオフセットに対応する周波数領域オフセット値が第一の設定値であり、先頭のＳ回のオフセット以外の周波数領域オフセットの周波数領域オフセット値が第二の設定値であることとを含むことを特徴とする
請求項１に記載の方法。
【請求項９】
前記開始位置及び前記周波数領域オフセット値に基づき、各ＨＡＲＱ−ＡＣＫ変調シンボルを対応するリソース要素にマッピングすることは、
ＫがＭ以下である場合、時間領域優先の方式で前記開始位置から、前記第一の周波数領域オフセット値に従って、先頭のＲ個のＨＡＲＱ−ＡＣＫ変調シンボルを異なる周波数領域位置の異なるリソース要素に一つずつマッピングすることと、
前記Ｒ番目のＨＡＲＱ−ＡＣＫ変調シンボルの所在する周波数領域位置及び前記第二の周波数領域オフセット値に基づき、Ｒ＋１番目のＨＡＲＱ−ＡＣＫ変調シンボルのマッピング先のリソース要素を確定することと、
時間領域優先の方式で、前記Ｒ＋１番目のＨＡＲＱ−ＡＣＫ変調シンボルのマッピング先のリソース要素の位置から、前記第二の周波数領域オフセット値に従って、先頭のＲ個のＨＡＲＱ−ＡＣＫ変調シンボル以外のＨＡＲＱ−ＡＣＫ変調シンボルを異なる周波数領域位置の異なるリソース要素に一つずつマッピングすることとを含むことを特徴とする
請求項８に記載の方法。
【請求項１０】
前記開始位置及び前記周波数領域オフセット値に基づき、各ＨＡＲＱ−ＡＣＫ変調シンボルを対応するリソース要素にマッピングすることは、
ＫがＭよりも大きい場合、先頭のＳ回の周波数領域オフセットにおいて、時間領域優先の方式で、開始位置の所在する周波数領域位置から、第一の設定値に従って周波数領域オフセットを行い、各周波数領域位置に第一のカウント数のＨＡＲＱ−ＡＣＫ変調シンボルを連続してマッピングすることと、
開始位置の所在する周波数領域位置、第一の設定値、第二の設定値に基づき、Ｓ＋１回目のオフセットに対応する開始位置を確定することと、
先頭のＳ回のオフセットを実行した後に、時間領域優先の方式で、Ｓ＋１回目のオフセットに対応する開始位置の所在する周波数領域位置から、第一の設定値に従って周波数領域オフセットを行い、各周波数領域位置に第二のカウント数のＨＡＲＱ−ＡＣＫ変調シンボルを連続してマッピングすることとを含むことを特徴とする
請求項８に記載の方法。
【請求項１１】
前記方法はさらに、
チャネル状態情報（ＣＳＩ）、ＨＡＲＱ−ＡＣＫ情報及びアップリンクデータを多重化伝送する時に、ＣＳＩ変調シンボルのマッピング先のリソース要素を優先的に確定することと、
前記ＣＳＩ変調シンボルのマッピング先のリソース要素以外のリソース要素を前記ＨＡＲＱ−ＡＣＫ変調シンボルのマッピング可能なリソース要素として確定し、又は前記ＣＳＩ変調シンボルのマッピング先のリソース要素の所在する直交周波数分割多重シンボル以外のリソース要素を、前記ＨＡＲＱ−ＡＣＫ変調シンボルのマッピング可能なリソース要素として確定することとを含み、
前記開始位置及び前記周波数領域オフセット値に基づき、各ＨＡＲＱ−ＡＣＫ変調シンボルを対応するリソース要素にマッピングすることは、
前記開始位置及び前記周波数領域オフセット値に基づき、前記ＨＡＲＱ−ＡＣＫ変調シンボルを前記マッピング可能なリソース要素にマッピングすることを含むことを特徴とする
請求項１に記載の方法。
【請求項１２】
チャネル状態情報（ＣＳＩ）、ＨＡＲＱ−ＡＣＫ情報及びアップリンクデータを多重化伝送する時に、各ＨＡＲＱ−ＡＣＫ変調シンボルを対応するリソース要素にマッピングした後、さらに、
前記ＨＡＲＱ−ＡＣＫ変調シンボルのマッピング先のリソース要素以外のリソース要素を前記ＣＳＩ変調シンボルのマッピング可能なリソース要素として確定することと、
前記ＣＳＩ変調シンボルを予め設定されたマッピングルールに従って、前記ＣＳＩ変調シンボルのマッピング可能なリソース要素にマッピングすることとを含むことを特徴とする
請求項１に記載の方法。
【請求項１３】
物理層リソースマッピング方法であって、基地局に適用され、前記方法は、
ユーザ装置から送信された、ＨＡＲＱ−ＡＣＫ変調シンボル及びデータ変調シンボルを含む符号化データを受信することと、
物理層リソースにマッピングされた前記ＨＡＲＱ−ＡＣＫ変調シンボルの開始位置及び周波数領域オフセット値に基づき、前記ＨＡＲＱ−ＡＣＫ変調シンボルを含むリソース要素及びデータ変調シンボルを含むリソース要素を確定し、前記周波数領域オフセット値が、異なるＨＡＲＱ−ＡＣＫ変調シンボルのマッピング先のリソース要素の周波数領域オフセットであることと、
前記ＨＡＲＱ−ＡＣＫ変調シンボルを含むリソース要素及びデータ変調シンボルを含むリソース要素に基づき、ＨＡＲＱ−ＡＣＫ情報とアップリンクデータを取得することとを含む、前記物理層リソースマッピング方法。
【請求項１４】
物理層リソースにマッピングされた前記ＨＡＲＱ−ＡＣＫ変調シンボルの開始位置は、アップリンクデータの復調基準信号に隣接する直交周波数分割多重シンボルの最低周波数領域位置であり、又は、アップリンクデータの復調基準信号以外の１番目の直交周波数分割多重シンボルの最低周波数領域位置であることを特徴とする
請求項１３に記載の方法。
【請求項１５】
物理層リソースにマッピングされた前記ＨＡＲＱ−ＡＣＫ変調シンボルの周波数領域オフセット値は、ＨＡＲＱ−ＡＣＫ変調シンボルに占有されるリソース要素の数Ｋ、及び各直交周波数分割多重シンボルに含まれるリソース要素の数Ｍに基づいて得られることを特徴とする
請求項１３に記載の方法。
【請求項１６】
物理層リソースにマッピングされた前記ＨＡＲＱ−ＡＣＫ変調シンボルの周波数領域オフセット値は、ＨＡＲＱ−ＡＣＫ変調シンボルのマッピング可能な直交周波数分割多重シンボルの数Ｎ、ＨＡＲＱ−ＡＣＫ変調シンボルに占有されるリソース要素の数Ｋ、及び各直交周波数分割多重シンボルに含まれるリソース要素の数Ｍに基づいて得られることを特徴とする
請求項１３に記載の方法。
【請求項１７】
ユーザー装置であって、
プロセッサと、
プロセッサでの実行可能な命令を記憶するように構成されるメモリとを備え、
ここで、前記プロセッサは、
ＨＡＲＱ−ＡＣＫ情報とアップリンクデータを多重化伝送する時に、物理層リソースにマッピングされるＨＡＲＱ−ＡＣＫ変調シンボルの開始位置及び周波数領域オフセット値を確定し、前記周波数領域オフセット値が、異なるＨＡＲＱ−ＡＣＫ変調シンボルのマッピング先のリソース要素の周波数領域オフセットであり、
前記開始位置及び前記周波数領域オフセット値に基づき、各ＨＡＲＱ−ＡＣＫ変調シンボルを対応するリソース要素にマッピングするように構成される、前記ユーザ装置。
【請求項１８】
基地局であって、
プロセッサと、
プロセッサでの実行可能な命令を記憶するように構成されるメモリとを備え、
ここで、前記プロセッサは、
ユーザ装置から送信された、ＨＡＲＱ−ＡＣＫ変調シンボル及びデータ変調シンボルを含む符号化データを受信し、
物理層リソースにマッピングされた前記ＨＡＲＱ−ＡＣＫ変調シンボルの開始位置及び周波数領域オフセット値に基づき、前記ＨＡＲＱ−ＡＣＫ変調シンボルを含むリソース要素及びデータ変調シンボルを含むリソース要素を確定し、前記周波数領域オフセット値が、異なるＨＡＲＱ−ＡＣＫ変調シンボルのマッピング先のリソース要素の周波数領域オフセットであり、
前記ＨＡＲＱ−ＡＣＫ変調シンボルを含むリソース要素及びデータ変調シンボルを含むリソース要素に基づき、ＨＡＲＱ−ＡＣＫ情報とアップリンクデータを取得するように構成される、前記基地局。
【国際調査報告】
2021503236.tif 000027
2021503236.tif 000028
2021503236.tif 000029
2021503236.tif 000030